(57)【要約】      （修正有）【課題】利用側熱交換器間で熱回収を行うことが可能な熱回収型冷凍装置において、電装品の冷却を行う冷媒冷却器を設けるにあたり、利用側熱交換器間において熱回収が行われる際であっても、冷媒冷却器を流れる冷媒の流量を確保して電装品の冷却を行うことができるようにする。【解決手段】熱回収型冷凍装置１は、圧縮機と、熱源側熱交換器２４、２５、３５と、複数の利用側熱交換器５２ａ、５２ｂ、５２ｃ、５２ｄとを含んでおり、冷媒の放熱器として機能する利用側熱交換器から冷媒の蒸発器として機能する利用側熱交換器に冷媒を送ることで利用側熱交換器間において熱回収を行うことが可能である。そして、ここでは、熱源側熱交換器２４、２５、３５の一部３５を、圧縮機２１から吐出される高圧のガス冷媒を常時流す予冷熱交換器とし、予冷熱交換器３５の下流側に、電装品を冷却する冷媒冷却器３６を接続している。【選択図】図１
2015075258.tif 000002
【特許請求の範囲】
【請求項１】
圧縮機（２１）と、熱源側熱交換器（２４、２５、３５）と、個別に冷媒の蒸発器又は放熱器として機能させる切り換えが可能な複数の利用側熱交換器（５２ａ、５２ｂ、５２ｃ、５２ｄ）とを含んでおり、前記冷媒の放熱器として機能する利用側熱交換器から前記冷媒の蒸発器として機能する利用側熱交換器に冷媒を送ることで前記利用側熱交換器間において熱回収を行うことが可能な熱回収型冷凍装置において、
前記熱源側熱交換器の一部（３５）を、前記圧縮機から吐出される高圧のガス冷媒を常時流す予冷熱交換器とし、
前記予冷熱交換器の下流側に、電装品を冷却する冷媒冷却器（３６）を接続している、
熱回収型冷凍装置（１）。
【請求項２】
前記冷媒冷却器（３６）の下流側に、前記予冷熱交換器（３５）を流れる冷媒の流量を調節する冷媒冷却側流量調節機構（３７）を接続している、
請求項１に記載の熱回収型冷凍装置（１）。
【請求項３】
前記熱源側熱交換器のうち前記予冷熱交換器（３５）を除いた部分である主熱源側熱交換器（２４、２５）の液側に、前記主熱源側熱交換器を流れる冷媒の流量を調節する熱源側流量調節機構（２６、２７）を接続しており、
前記主熱源側熱交換器を冷媒の放熱器として機能させる際の前記熱源側流量調節機構の下流側に、前記冷媒冷却側流量調節機構（３７）の出口を接続している、
請求項２に記載の熱回収型冷凍装置（１）。
【請求項４】
前記主熱源側熱交換器は、第１熱源側熱交換器（２４）と第２熱源側熱交換器（２５）とを有しており、
前記熱源側流量調節機構は、前記第１熱源側熱交換器を流れる冷媒の流量を調節する第１熱源側流量調節機構（２６）と、前記第２熱源側熱交換器を流れる冷媒の流量を調節する第２熱源側流量調節機構（２７）とを有しており、
前記第１熱源側熱交換器を冷媒の放熱器として機能させる際の前記第１熱源側流量調節機構の下流側に、かつ、前記第２熱源側熱交換器を冷媒の放熱器として機能させる際の前記第２熱源側流量調節機構の下流側に、前記冷媒冷却側流量調節機構（３７）の出口を接続している、
請求項３に記載の熱回収型冷凍装置（１）。
【請求項５】
前記予冷熱交換器（３５）は、前記熱源側熱交換器の下部を構成している、
請求項１〜４のいずれか１項に記載の熱回収型冷凍装置（１）。
【請求項６】
前記熱源側熱交換器（２４、２５、３５）は、水平方向に冷媒が流れる冷媒パスが上下方向に複数段並んだ構造を有しており、
前記予冷熱交換器（３５）は、前記複数の冷媒パスのうち最下段の冷媒パスを構成している、
請求項５に記載の熱回収型冷凍装置（１）。
【発明の詳細な説明】
【技術分野】
【０００１】
本発明は、熱回収型冷凍装置、特に、圧縮機と、熱源側熱交換器と、複数の利用側熱交換器とを含んでおり、冷媒の放熱器として機能する利用側熱交換器から冷媒の蒸発器として機能する利用側熱交換器に冷媒を送ることで利用側熱交換器間において熱回収を行うことが可能な熱回収型冷凍装置に関する。
【背景技術】
【０００２】
従来より、特許文献１（特開２０１０−２５３７４号公報）に示すように、熱源側熱交換器と利用側熱交換器との間を流れる冷媒によって、圧縮機等の構成機器を制御するパワー素子等の電装品を冷却する冷媒冷却器を設けた冷凍装置がある。この冷凍装置では、冷媒冷却器を流れる冷媒の流量、すなわち、熱源側熱交換器と利用側熱交換器との間を流れる冷媒の流量に応じて電装品の冷却の程度が決まる。
【発明の概要】
【発明が解決しようとする課題】
【０００３】
ところで、従来より、冷凍装置として、圧縮機と、熱源側熱交換器と、複数の利用側熱交換器とを含んだ構成の熱回収型冷凍装置がある。この熱回収型冷凍装置は、各利用側熱交換器が個別に冷媒の蒸発器又は放熱器として機能させる切り換えが可能になっており、冷媒の放熱器として機能する利用側熱交換器から冷媒の蒸発器として機能する利用側熱交換器に冷媒を送ることで利用側熱交換器間において熱回収（例えば、冷房運転と暖房運転とを同時に行う冷暖同時運転）を行うようになっている。そして、熱回収型冷凍装置では、上記の熱回収を考慮した複数の利用側熱交換器全体の熱負荷（蒸発負荷や放熱負荷）に応じて、熱源側熱交換器を冷媒の蒸発器や放熱器として機能させるようになっている。
【０００４】
ここで、このような熱回収型冷凍装置に対して、上記従来の冷媒冷却器を適用して、電装品を冷却することが考えられる。
【０００５】
しかし、冷媒冷却器を熱回収型冷凍装置に適用すると、上記のように、利用側熱交換器間において熱回収が行われる際に、熱源側熱交換器と利用側熱交換器との間を流れる冷媒の流量が減少し、これに伴い、冷媒冷却器を流れる冷媒の流量も減少するため、電装品の冷却が不十分になるおそれがある。
【０００６】
本発明の課題は、利用側熱交換器間で熱回収を行うことが可能な熱回収型冷凍装置において、電装品の冷却を行う冷媒冷却器を設けるにあたり、利用側熱交換器間において熱回収が行われる際であっても、冷媒冷却器を流れる冷媒の流量を確保して電装品の冷却を行うことができるようにすることにある。
【課題を解決するための手段】
【０００７】
第１の観点にかかる熱回収型冷凍装置は、圧縮機と、熱源側熱交換器と、個別に冷媒の蒸発器又は放熱器として機能させる切り換えが可能な複数の利用側熱交換器とを含んでおり、冷媒の放熱器として機能する利用側熱交換器から冷媒の蒸発器として機能する利用側熱交換器に冷媒を送ることで利用側熱交換器間において熱回収を行うことが可能である。そして、ここでは、熱源側熱交換器の一部を、圧縮機から吐出される高圧のガス冷媒を常時流す予冷熱交換器とし、予冷熱交換器の下流側に、電装品を冷却する冷媒冷却器を接続している。
【０００８】
ここでは、上記のように、電装品を冷却する冷媒冷却器を設けるにあたり、熱源側熱交換器の一部を、圧縮機から吐出される高圧のガス冷媒を常時流す予冷熱交換器とし、予冷熱交換器の下流側に冷媒冷却器を接続するようにしている。このため、冷媒冷却器には、予冷熱交換器を通じて常時冷媒を流すことができる。これにより、利用側熱交換器間において熱回収が行われる際、すなわち、熱源側熱交換器と利用側熱交換器との間を流れる冷媒の流量が減少する場合であっても、冷媒冷却器を流れる冷媒の流量を確保して電装品の冷却を行うことができる。
【０００９】
第２の観点にかかる熱回収型冷凍装置は、第１の観点にかかる熱回収型冷凍装置において、冷媒冷却器の下流側に、予冷熱交換器を流れる冷媒の流量を調節する冷媒冷却側流量調節機構を接続している。
【００１０】
ここでは、上記のように、冷媒冷却器の下流側に冷媒冷却側流量調節機構を接続するようにしている。これにより、予冷熱交換器を流れる冷媒の流量、ひいては冷媒冷却器を流れる冷媒を適切な流量に調節することができる。
【００１１】
第３の観点にかかる熱回収型冷凍装置は、第２の観点にかかる熱回収型冷凍装置において、熱源側熱交換器のうち予冷熱交換器を除いた部分である主熱源側熱交換器の液側に、主熱源側熱交換器を流れる冷媒の流量を調節する熱源側流量調節機構を接続しており、主熱源側熱交換器を冷媒の放熱器として機能させる際の熱源側流量調節機構の下流側に、冷媒冷却側流量調節機構の出口を接続している。
【００１２】
ここでは、上記のように、予冷熱交換器及び冷媒冷却器を流れる冷媒の流量を調節する冷媒冷却側流量調節機構の出口を、主熱源側熱交換器が冷媒の放熱器として機能する際の熱源側流量調節機構の下流側に接続するようにしている。これにより、熱源側流量調節機構によって主熱源側熱交換器を流れる冷媒の流量を調節し、これとは別に、冷媒冷却側流量調節機構によって予冷熱交換器及び冷媒冷却器を流れる冷媒の流量を調節することができる。
【００１３】
第４の観点にかかる熱回収型冷凍装置は、第３の観点にかかる熱回収型冷凍装置において、主熱源側熱交換器が、第１熱源側熱交換器と第２熱源側熱交換器とを有し、熱源側流量調節機構が、第１熱源側熱交換器を流れる冷媒の流量を調節する第１熱源側流量調節機構と、第２熱源側熱交換器を流れる冷媒の流量を調節する第２熱源側流量調節機構とを有している。そして、第１熱源側熱交換器を冷媒の放熱器として機能させる際の第１熱源側流量調節機構の下流側に、かつ、第２熱源側熱交換器を冷媒の放熱器として機能させる際の第２熱源側流量調節機構の下流側に、冷媒冷却側流量調節機構の出口を接続している。
【００１４】
ここでは、上記のように、まず、主熱源側熱交換器が第１熱源側熱交換器と第２熱源側熱交換器とに分割されており、各熱源側熱交換器に熱源側流量調節機構が設けられている。このため、各熱源側熱交換器を流れる冷媒の流量を個別に調節することができ、また、各熱源側熱交換器を個別に冷媒の蒸発器又は放熱器として機能させる切り換えを可能にすることができる。しかも、ここでは、上記のように、予冷熱交換器及び冷媒冷却器を流れる冷媒の流量を調節する冷媒冷却側流量調節機構の出口を、２つの熱源側熱交換器が冷媒の放熱器として機能する際の各熱源側流量調節機構の下流側に接続するようにしている。これにより、各熱源側流量調節機構によって２つの熱源側熱交換器を流れる冷媒の流量を個別に調節し、これとは別に、冷媒冷却側流量調節機構によって予冷熱交換器及び冷媒冷却器を流れる冷媒の流量を調節することができる。
【００１５】
第５の観点にかかる熱回収型冷凍装置は、第１〜第４の観点のいずれかにかかる熱回収型冷凍装置において、予冷熱交換器が熱源側熱交換器の下部を構成している。
【００１６】
第６の観点にかかる熱回収型冷凍装置は、第５の観点にかかる熱回収型冷凍装置において、熱源側熱交換器が、水平方向に冷媒が流れる冷媒パスが上下方向に複数段並んだ構造を有しており、予冷熱交換器が、複数の冷媒パスのうち最下段の冷媒パスを構成している。
【００１７】
ここでは、上記のように、予冷熱交換器が熱源側熱交換器の下部を構成している。例えば、熱源側熱交換器が、水平方向に冷媒が流れる冷媒パスが上下方向に複数段並んだ構造を有している場合には、予冷熱交換器が、複数の冷媒パスのうち最下段の冷媒パスを構成している。これにより、熱源側熱交換器の下部に圧縮機から吐出される高圧のガス冷媒を常時流して、熱源側熱交換器の下部が凍結することを抑えることができる。
【発明の効果】
【００１８】
以上の説明に述べたように、本発明によれば、以下の効果が得られる。
【００１９】
第１の観点にかかる熱回収型冷凍装置では、利用側熱交換器間において熱回収が行われる際であっても、冷媒冷却器を流れる冷媒の流量を確保して電装品の冷却を行うことができる。
【００２０】
第２の観点にかかる熱回収型冷凍装置では、予冷熱交換器を流れる冷媒の流量、ひいては冷媒冷却器を流れる冷媒を適切な流量に調節することができる。
【００２１】
第３の観点にかかる熱回収型冷凍装置では、熱源側流量調節機構によって主熱源側熱交換器を流れる冷媒の流量を調節し、これとは別に、冷媒冷却側流量調節機構によって予冷熱交換器及び冷媒冷却器を流れる冷媒の流量を調節することができる。
【００２２】
第４の観点にかかる熱回収型冷凍装置では、各熱源側流量調節機構によって２つの熱源側熱交換器を流れる冷媒の流量を個別に調節し、これとは別に、冷媒冷却側流量調節機構によって予冷熱交換器及び冷媒冷却器を流れる冷媒の流量を調節することができる。
【００２３】
第５及び第６の観点にかかる熱回収型冷凍装置では、熱源側熱交換器の下部に圧縮機から吐出される高圧のガス冷媒を常時流して、熱源側熱交換器の下部が凍結することを抑えることができる。
【図面の簡単な説明】
【００２４】
【図１】本発明にかかる熱回収型冷凍装置の一実施形態としての冷暖同時運転型空気調和装置の概略構成図である。
【図２】冷暖同時運転型空気調和装置を構成する熱源ユニットの概略の内部構造を示す図である。
【図３】熱源側熱交換器の構造を模式的に示す図である。
【図４】冷暖同時運転型空気調和装置の冷房運転モード（蒸発負荷大）における動作（冷媒の流れ）を示す図である。
【図５】冷暖同時運転型空気調和装置の冷房運転モード（蒸発負荷小）における動作（冷媒の流れ）を示す図である。
【図６】冷暖同時運転型空気調和装置の暖房運転モード（放熱負荷大）における動作（冷媒の流れ）を示す図である。
【図７】冷暖同時運転型空気調和装置の暖房運転モード（放熱負荷小）における動作（冷媒の流れ）を示す図である。
【図８】冷暖同時運転型空気調和装置の冷暖同時運転モード（蒸発負荷主体）における動作（冷媒の流れ）を示す図である。
【図９】冷暖同時運転型空気調和装置の冷暖同時運転モード（放熱負荷主体）における動作（冷媒の流れ）を示す図である。
【図１０】冷暖同時運転型空気調和装置の冷暖同時運転モード（蒸発・放熱負荷均衡、熱源側熱交換器に冷媒を流す場合）における動作（冷媒の流れ）を示す図である。
【図１１】冷暖同時運転型空気調和装置の冷暖同時運転モード（蒸発・放熱負荷均衡、熱源側熱交換器に冷媒を流さない場合）における動作（冷媒の流れ）を示す図である。
【発明を実施するための形態】
【００２５】
以下、本発明にかかる熱回収型冷凍装置の実施形態について、図面に基づいて説明する。尚、本発明にかかる熱回収型冷凍装置の具体的な構成は、下記の実施形態及びその変形例に限られるものではなく、発明の要旨を逸脱しない範囲で変更可能である。
【００２６】
（１）熱回収型冷凍装置（冷暖同時運転型空気調和装置）の構成
図１は、本発明にかかる熱回収型冷凍装置の一実施形態としての冷暖同時運転型空気調和装置１の概略構成図である。図２は、冷暖同時運転型空気調和装置１を構成する熱源ユニット２の概略の内部構造を示す図である。図３は、熱源側熱交換器２４、２５、３５の構造を模式的に示す図である。冷暖同時運転型空気調和装置１は、蒸気圧縮式の冷凍サイクル運転を行うことによって、ビル等の室内の冷暖房に使用される装置である。
【００２７】
冷暖同時運転型空気調和装置１は、主として、１台の熱源ユニット２と、複数（ここでは、４台）の利用ユニット３ａ、３ｂ、３ｃ、３ｄと、各利用ユニット３ａ、３ｂ、３ｃ、３ｄに接続される接続ユニット４ａ、４ｂ、４ｃ、４ｄと、接続ユニット４ａ、４ｂ、４ｃ、４ｄを介して熱源ユニット２と利用ユニット３ａ、３ｂ、３ｃ、３ｄとを接続する冷媒連絡管７、８、９とを有している。すなわち、冷暖同時運転型空気調和装置１の蒸気圧縮式の冷媒回路１０は、熱源ユニット２と、利用ユニット３ａ、３ｂ、３ｃ、３ｄと、接続ユニット４ａ、４ｂ、４ｃ、４ｄと、冷媒連絡管７、８、９とが接続されることによって構成されている。そして、冷暖同時運転型空気調和装置１は、各利用ユニット３ａ、３ｂ、３ｃ、３ｄが個別に冷房運転又は暖房運転を行うことが可能になっており、暖房運転を行う利用ユニットから冷房運転を行う利用ユニットに冷媒を送ることで利用ユニット間において熱回収を行うこと（ここでは、冷房運転と暖房運転とを同時に行う冷暖同時運転を行うこと）が可能になるように構成されている。しかも、冷暖同時運転型空気調和装置１では、上記の熱回収（冷暖同時運転）も考慮した複数の利用ユニット３ａ、３ｂ、３ｃ、３ｄ全体の熱負荷に応じて、熱源ユニット２の熱負荷をバランスさせるように構成されている。
【００２８】
＜利用ユニット＞
利用ユニット３ａ、３ｂ、３ｃ、３ｄは、ビル等の室内の天井に埋め込みや吊り下げ等、又は、室内の壁面に壁掛け等により設置されている。利用ユニット３ａ、３ｂ、３ｃ、３ｄは、冷媒連絡管７、８、９及び接続ユニット４ａ、４ｂ、４ｃ、４ｄを介して熱源ユニット２に接続されており、冷媒回路１０の一部を構成している。
【００２９】
次に、利用ユニット３ａ、３ｂ、３ｃ、３ｄの構成について説明する。尚、利用ユニット３ａと利用ユニット３ｂ、３ｃ、３ｄとは同様の構成であるため、ここでは、利用ユニット３ａの構成のみ説明し、利用ユニット３ｂ、３ｃ、３ｄの構成については、それぞれ、利用ユニット３ａの各部を示す符号の添字「ａ」の代わりに、「ｂ」、「ｃ」又は「ｄ」の添字を付して、各部の説明を省略する。
【００３０】
利用ユニット３ａは、主として、冷媒回路１０の一部を構成しており、利用側冷媒回路１３ａ（利用ユニット３ｂ、３ｃ、３ｄでは、それぞれ、利用側冷媒回路１３ｂ、１３ｃ、１３ｄ）を有している。利用側冷媒回路１３ａは、主として、利用側流量調節弁５１ａと、利用側熱交換器５２ａとを有している。
【００３１】
利用側流量調節弁５１ａは、利用側熱交換器５２ａを流れる冷媒の流量の調節等を行うために、利用側熱交換器５２ａの液側に接続された開度調節が可能な電動膨張弁である。
【００３２】
利用側熱交換器５２ａは、冷媒と室内空気との熱交換を行うための機器であり、例えば、多数の伝熱管及びフィンによって構成されたフィン・アンド・チューブ型熱交換器からなる。ここで、利用ユニット３ａは、ユニット内に室内空気を吸入して、熱交換した後に、供給空気として屋内に供給するための室内ファン５３ａを有しており、室内空気と利用側熱交換器３２ａを流れる冷媒とを熱交換させることが可能である。室内ファン５３ａは、室内ファンモータ５４ａによって駆動される。
【００３３】
また、利用ユニット３ａは、利用ユニット３ａを構成する各部５１ａ、５４ａの動作を制御する利用側制御部５０ａを有している。そして、利用側制御部５０ａは、利用ユニット３ａの制御を行うために設けられたマイクロコンピュータやメモリを有しており、リモコン（図示せず）との間で制御信号等のやりとりを行ったり、熱源ユニット２との間で制御信号等のやりとりを行うことができるようになっている。
【００３４】
＜熱源ユニット＞
熱源ユニット２は、ビル等の屋上等に設置されており、冷媒連絡管７、８、９を介して利用ユニット３ａ、３ｂ、３ｃ、３ｄに接続されており、利用ユニット３ａ、３ｂ、３ｃ、３ｄとの間で冷媒回路１０を構成している。
【００３５】
次に、熱源ユニット２の構成について説明する。熱源ユニット２は、主として、冷媒回路１０の一部を構成しており、熱源側冷媒回路１２を有している。熱源側冷媒回路１２は、主として、圧縮機２１と、複数（ここでは、２つ）の熱交切換機構２２、２３と、主熱源側熱交換器としての２つの熱源側熱交換器２４、２５と予冷熱交換器３５とからなる熱源側熱交換器と、冷媒冷却器３６と、２つの熱源側熱交換器２４、２５に対応する熱源側流量調節機構としての熱源側流量調節弁２６、２７と、予冷熱交換器３５及び冷媒冷却器３６に対応する冷媒冷却側流量調節機構としての冷媒冷却側流量調節弁３７と、レシーバ２８と、ブリッジ回路２９と、高低圧切換機構３０と、液側閉鎖弁３１と、高低圧ガス側閉鎖弁３２と、低圧ガス側閉鎖弁３３とを有している。
【００３６】
圧縮機２１は、ここでは、冷媒を圧縮するための機器であり、例えば、圧縮機モータ２１ａをインバータ制御することで運転容量を可変することが可能なスクロール型等の容積式圧縮機からなる。
【００３７】
第１熱交切換機構２２は、主熱源側熱交換器としての第１熱源側熱交換器２４を冷媒の放熱器として機能させる場合（以下、「放熱運転状態」とする）には圧縮機２１の吐出側と第１熱源側熱交換器２４のガス側とを接続し（図１の第１熱交切換機構２２の実線を参照）、第１熱源側熱交換器２４を冷媒の蒸発器として機能させる場合（以下、「蒸発運転状態」とする）には圧縮機２１の吸入側と第１熱源側熱交換器２４のガス側とを接続するように（図１の第１熱交切換機構２２の破線を参照）、熱源側冷媒回路１２内における冷媒の流路を切り換えることが可能な機器であり、例えば、四路切換弁からなる。また、第２熱交切換機構２３は、主熱源側熱交換器としての第２熱源側熱交換器２５を冷媒の放熱器として機能させる場合（以下、「放熱運転状態」とする）には圧縮機２１の吐出側と第２熱源側熱交換器２５のガス側とを接続し（図１の第２熱交切換機構２３の実線を参照）、第２熱源側熱交換器２５を冷媒の蒸発器として機能させる場合（以下、「蒸発運転状態」とする）には圧縮機２１の吸入側と第２熱源側熱交換器２５のガス側とを接続するように（図１の第２熱交切換機構２３の破線を参照）、熱源側冷媒回路１２内における冷媒の流路を切り換えることが可能な機器であり、例えば、四路切換弁からなる。そして、第１熱交切換機構２２及び第２熱交切換機構２３の切り換え状態を変更することによって、第１熱源側熱交換器２４及び第２熱源側熱交換器２５は、個別に冷媒の蒸発器又は放熱器として機能させる切り換えが可能になっている。
【００３８】
主熱源側熱交換器としての第１熱源側熱交換器２４は、冷媒と室外空気との熱交換を行うための機器であり、例えば、多数の伝熱管及びフィンによって構成されたフィン・アンド・チューブ型熱交換器からなる。第１熱源側熱交換器２４は、そのガス側が第１熱交切換機構２２に接続され、その液側が第１熱源側流量調節弁２６に接続されている。具体的には、第１熱源側熱交換器２４のガス側は、第１熱源側熱交換器２４を構成する複数の伝熱管との間で冷媒の合流及び分岐を行うための第１ヘッダ２４ａが設けられており、第１ヘッダ２４ａが第１熱交切換機構２２に接続されている。第１熱源側熱交換器２４の液側は、第１熱源側熱交換器２４を構成する複数の伝熱管との間で冷媒の合流及び分岐を行うための第１分流器２４ｂが設けられており、第１分流器２４ｂが第１熱源側流量調節弁２６に接続されている。また、主熱源側熱交換器としての第２熱源側熱交換器２５は、冷媒と室外空気との熱交換を行うための機器であり、例えば、多数の伝熱管及びフィンによって構成されたフィン・アンド・チューブ型熱交換器からなる。第２熱源側熱交換器２５は、そのガス側が第２熱交切換機構２３に接続され、その液側が第２熱源側流量調節弁２７に接続されている。具体的には、第２熱源側熱交換器２５のガス側は、第２熱源側熱交換器２５を構成する複数の伝熱管との間で冷媒の合流及び分岐を行うための第２ヘッダ２５ａが設けられており、第２ヘッダ２５ａが第２熱交切換機構２３に接続されている。第２熱源側熱交換器２５の液側は、第２熱源側熱交換器２５を構成する複数の伝熱管との間で冷媒の合流及び分岐を行うための第２分流器２５ｂが設けられており、第２分流器２５ｂが第２熱源側流量調節弁２７に接続されている。
【００３９】
予冷熱交換器３５は、冷媒と室外空気との熱交換を行うための機器であり、例えば、多数の伝熱管及びフィンによって構成されたフィン・アンド・チューブ型熱交換器からなる。予冷熱交換器３５は、熱源側熱交換器の一部（すなわち、熱源側熱交換器のうち主熱源側熱交換器としての熱源側熱交換器２４、２５を除いた部分）を構成しており、圧縮機２１から吐出される高圧のガス冷媒を常時流すように熱源側冷媒回路１２に設けられている。具体的には、予冷熱交換器３５は、主熱源側熱交換器としての熱源側熱交換器２４、２５とは異なり、熱交切換機構２２、２３のような冷媒の蒸発器又は放熱器として機能させる切り換えを可能にするための機構を介することなく、そのガス側が圧縮機２１の吐出側に接続されている。すなわち、予冷熱交換器３５は、主熱源側熱交換器としての熱源側熱交換器２４、２５とは異なり、常時冷媒の放熱器として機能するようになっている。
【００４０】
ここで、予冷熱交換器３５は、主熱源側熱交換器としての２つの熱源側熱交換器２４、２５と予冷熱交換器３５とからなる熱源側熱交換器の下部を構成している。具体的には、主熱源側熱交換器としての熱源側熱交換器２４、２５の下側に予冷熱交換器３７が配置されている。また、第２熱源側熱交換器２５の上側に第１熱源側熱交換器２４が配置されている。すなわち、第１熱源側熱交換器２４、第２熱源側熱交換器２５及び予冷熱交換器３５を一体の熱源側熱交換器として構成している。ここでは、熱源側熱交換器２４、２５、３５として、水平方向に冷媒が流れる冷媒パスが上下方向に複数段並んだ構造を有するものを採用している。そして、複数の冷媒パスのうち熱源側熱交換器２４、２５、３５の上部の冷媒パスを構成する伝熱管を第１ヘッダ２４ａ及び第１分流器２４ｂに接続することで第１熱源側熱交換器２４として機能させ、中間部の冷媒パスを構成する伝熱管を第２ヘッダ２５ａ及び第２分流器２５ｂに接続することで第２熱源側熱交換器２５として機能させ、最下段の冷媒パスを構成する伝熱管を予冷熱交換器３５として機能させるようにしている。
【００４１】
そして、熱源ユニット２は、ユニット内に室外空気を吸入して、熱交換した後に、ユニット外に排出するための室外ファン３４を有しており、室外空気と熱源側熱交換器２４、２５、３５を流れる冷媒とを熱交換させることが可能である。室外ファン３４は、室外ファンモータ３４ａによって駆動される。ここで、熱源ユニット２の側面には、室外空気を吸入するための吸入口２ａが形成されており、熱源ユニット２の天面には、室外空気を排出するための排出口２ｂが形成されており、室外ファン３４は、熱源ユニット２の上部に配置されている。
【００４２】
冷媒冷却器３５は、予冷熱交換器３５において放熱した冷媒と電装品２０ａとの熱交換を行うことで電装品２０ａを冷却する機器であり、予冷熱交換器３５の液側、すなわち、予冷熱交換器３５の下流側に接続されている。冷媒冷却器３６は、例えば、冷媒流路が形成された金属製の部材を電装品２０ａに接触させることによって構成されている。ここで、電装品２０ａは、熱源ユニット２を構成する各部を制御するための電気部品であり、後述の熱源側制御部２０を構成している。そして、冷媒冷却器３６によって冷却が必要な電装品２０ａとしては、圧縮機モータ２１ａを制御するためのインバータを構成するパワー素子やリアクタ等の高発熱電気部品が挙げられる。このような高発熱電気部品は、圧縮機２１の運転容量が大きくなるにつれて、発熱量が大きくなる傾向にある。尚、図１において、電装品２０ａを熱源側制御部２０とは別に図示しているが、これは、冷媒冷却器３６の機能を説明するための便宜を考慮したものである。
【００４３】
熱源側流量調節機構としての第１熱源側流量調節弁２６は、第１熱源側熱交換器２４を流れる冷媒の流量の調節等を行うために、第１熱源側熱交換器２４の液側に接続された開度調節が可能な電動膨張弁である。また、熱源側流量調節機構としての第２熱源側流量調節弁２７は、第２熱源側熱交換器２５を流れる冷媒の流量の調節等を行うために、第２熱源側熱交換器２５の液側に接続された開度調節が可能な電動膨張弁である。すなわち、熱源側熱交換器２４、２５、３５のうち予冷熱交換器３５を除いた部分である主熱源側熱交換器としての熱源側熱交換器２４、２５の液側に、各熱源側熱交換器２４、２５を流れる冷媒の流量を調節する熱源側流量調節弁２６、２７が接続されている。
【００４４】
冷媒冷却側流量調節機構としての冷媒冷却側流量調節弁３７は、予冷熱交換器３５及び冷媒冷却器３６を流れる冷媒の流量の調節等を行うために、冷媒冷却器３６の下流側に接続された開度調節が可能な電動膨張弁である。そして、主熱源側熱交換器としての熱源側熱交換器２４、２５を冷媒の放熱器として機能させる際の熱源側流量調節弁２６、２７の下流側に、すなわち、第１熱源側熱交換器２４を冷媒の放熱器として機能させる際の第１熱源側流量調節弁２６の下流側に、かつ、第２熱源側熱交換器２５を冷媒の放熱器として機能させる際の第２熱源側流量調節弁２７の下流側に、冷媒冷却側流量調節弁３７の出口が接続されている。ここでは、冷媒冷却側流量調節弁３７の出口は、レシーバ２８の出口管２８ｂに合流するように接続されている。
【００４５】
レシーバ２８は、熱源側熱交換器２４、２５と利用側冷媒回路１３ａ、１３ｂ、１３ｃ、１３ｄとの間を流れる冷媒を一時的に溜めるための容器である。レシーバ２８の上部には、レシーバ入口管２８ａが設けられており、レシーバ２８の下部には、レシーバ出口管２８ｂが設けられている。また、レシーバ入口管２８ａには、開閉制御が可能なレシーバ入口開閉弁２８ｃが設けられている。そして、レシーバ２８の入口管２８ａ及び出口管２８ｂは、ブリッジ回路２９を介して、熱源側熱交換器２４、２５と液側閉鎖弁３１との間に接続されている。
【００４６】
ブリッジ回路２９は、冷媒が熱源側熱交換器２４、２５側から液側閉鎖弁３１側に向かって流れる場合、及び、冷媒が液側閉鎖弁３１側から熱源側熱交換器２４、２５側に向かって流れる場合のいずれにおいても、レシーバ入口管２８ａを通じてレシーバ２８内に冷媒を流入させ、レシーバ出口管２８ｂを通じてレシーバ２８内から冷媒を流出させる機能を有する回路である。ブリッジ回路２９は、４つの逆止弁２９ａ、２９ｂ、２９ｃ、２９ｄを有している。そして、入口逆止弁２９ａは、熱源側熱交換器２４、２５側からレシーバ入口管２８ａへの冷媒の流通のみを許容する逆止弁である。入口逆止弁２９ｂは、液側閉鎖弁３１側からレシーバ入口管２８ａへの冷媒の流通のみを許容する逆止弁である。すなわち、入口逆止弁２９ａ、２９ｂは、熱源側熱交換器２４、２５側又は液側閉鎖弁３１側からレシーバ入口管２８ａに冷媒を流通させる機能を有している。出口逆止弁２９ｃは、レシーバ出口管２８ｂから液側閉鎖弁３１側への冷媒の流通のみを許容する逆止弁である。出口逆止弁２９ｄは、レシーバ出口管２８ｂから熱源側熱交換器２４、２５側への冷媒の流通のみを許容する逆止弁である。すなわち、出口逆止弁２９ｃ、２９ｄは、レシーバ出口管２８ｂから熱源側熱交換器２４、２５側又は液側閉鎖弁３１側に冷媒を流通させる機能を有している。
【００４７】
高低圧切換機構３０は、圧縮機２１から吐出された高圧のガス冷媒を利用側冷媒回路１３ａ、１３ｂ、１３ｃ、１３ｄに送る場合（以下、「放熱負荷主体運転状態」とする）には、圧縮機２１の吐出側と高低圧ガス側閉鎖弁３２とを接続し（図１の高低圧切換機構３０の破線を参照）、圧縮機２１から吐出された高圧のガス冷媒を利用側冷媒回路１３ａ、１３ｂ、１３ｃ、１３ｄに送らない場合（以下、「蒸発負荷主体運転状態」とする）には、高低圧ガス側閉鎖弁３２と圧縮機２１の吸入側とを接続するように（図１の高低圧切換機構３０の実線を参照）、熱源側冷媒回路１２内における冷媒の流路を切り換えることが可能な機器であり、例えば、四路切換弁からなる。
【００４８】
液側閉鎖弁３１、高低圧ガス側閉鎖弁３２及び低圧ガス側閉鎖弁３３は、外部の機器・配管（具体的には、冷媒連絡管７、８及び９）との接続口に設けられた弁である。液側閉鎖弁３１は、ブリッジ回路２９を介してレシーバ入口管２８ａ又はレシーバ出口管２８ｂに接続されている。高低圧ガス側閉鎖弁３２は、高低圧切換機構３０に接続されている。低圧ガス側閉鎖弁３３は、圧縮機２１の吸入側に接続されている。
【００４９】
また、熱源ユニット２は、熱源ユニット２を構成する各部２１ａ、２２、２３、２６、２７、２８ｃ、３０、３４ａ、３７の動作を制御する熱源側制御部２０を有している。そして、熱源側制御部２０は、熱源ユニット２の制御を行うために設けられたマイクロコンピュータやメモリ、インバータ等を有しており、利用ユニット３ａ、３ｂ、３ｃ、３ｄの利用側制御部５０ａ、５０ｂ、５０ｃ、５０ｄとの間で制御信号等のやりとりを行うことができるようになっている。
【００５０】
＜接続ユニット＞
接続ユニット４ａ、４ｂ、４ｃ、４ｄは、ビル等の室内に利用ユニット３ａ、３ｂ、３ｃ、３ｄとともに設置されている。接続ユニット４ａ、４ｂ、４ｃ、４ｄは、冷媒連絡管９、１０、１１とともに、利用ユニット３、４、５と熱源ユニット２との間に介在しており、冷媒回路１０の一部を構成している。
【００５１】
次に、接続ユニット４ａ、４ｂ、４ｃ、４ｄの構成について説明する。尚、接続ユニット４ａと接続ユニット４ｂ、４ｃ、４ｄとは同様の構成であるため、ここでは、接続ユニット４ａの構成のみ説明し、接続ユニット４ｂ、４ｃ、４ｄの構成については、それぞれ、接続ユニット４ａの各部を示す符号の添字「ａ」の代わりに、「ｂ」、「ｃ」又は「ｄ」の添字を付して、各部の説明を省略する。
【００５２】
接続ユニット４ａは、主として、冷媒回路１０の一部を構成しており、接続側冷媒回路１４ａ（接続ユニット４ｂ、４ｃ、４ｄでは、それぞれ、接続側冷媒回路１４ｂ、１４ｃ、１４ｄ）を有している。接続側冷媒回路１４ａは、主として、液接続管６１ａと、ガス接続管６２ａとを有している。
【００５３】
液接続管６１ａは、液冷媒連絡管７と利用側冷媒回路１３ａの利用側流量調節弁５１ａとを接続している。
【００５４】
ガス接続管６２ａは、高低圧ガス冷媒連絡管８に接続された高圧ガス接続管６３ａと、低圧ガス冷媒連絡管９に接続された低圧ガス接続管６４ａと、高圧ガス接続管６３ａと低圧ガス接続管６４ａとを合流させる合流ガス接続管６５ａとを有している。合流ガス接続管６５ａは、利用側冷媒回路１３ａの利用側熱交換器５２ａのガス側に接続されている。高圧ガス接続管６３ａには、開閉制御が可能な高圧ガス開閉弁６６ａが設けられており、低圧ガス接続管６４ａには、開閉制御が可能な低圧ガス開閉弁６７ａが設けられている。
【００５５】
そして、接続ユニット４ａは、利用ユニット３ａが冷房運転を行う際には、低圧ガス開閉弁６７ａを開けた状態にして、液冷媒連絡管７を通じて液接続管６１ａに流入する冷媒を利用側冷媒回路１３ａの利用側流量調節弁５１ａを通じて利用側熱交換器５２ａに送り、利用側熱交換器５２ａにおいて室内空気との熱交換によって蒸発した冷媒を、合流ガス接続管６５ａ及び低圧ガス接続管６４ａを通じて、低圧ガス冷媒連絡管９に戻すように機能することができる。また、接続ユニット４ａは、利用ユニット３ａが暖房運転を行う際には、低圧ガス開閉弁６７ａを閉止し、かつ、高圧ガス開閉弁６６ａを開けた状態にして、高低圧ガス冷媒連絡管８を通じて高圧ガス接続管６３ａ及び合流ガス接続管６５ａに流入する冷媒を利用側冷媒回路１３ａの利用側熱交換器５２ａに送り、利用側熱交換器５２ａにおいて室内空気との熱交換によって放熱した冷媒を、利用側流量調節弁５１ａ及び液接続管６１ａを通じて、液冷媒連絡管７に戻すように機能することができる。この機能は、接続ユニット４ａだけでなく、接続ユニット４ｂ、４ｃ、４ｄも同様に有しているため、接続ユニット４ａ、４ｂ、４ｃ、４ｄによって、利用側熱交換器５２ａ、５２ｂ、５２ｃ、５２ｄは、個別に冷媒の蒸発器又は放熱器として機能させる切り換えが可能になっている。
【００５６】
また、接続ユニット４ａは、接続ユニット４ａを構成する各部６６ａ、６７ａの動作を制御する接続側制御部６０ａを有している。そして、接続側制御部６０ａは、接続ユニット６０ａの制御を行うために設けられたマイクロコンピュータやメモリを有しており、利用ユニット３ａの利用側制御部５０ａとの間で制御信号等のやりとりを行うことができるようになっている。
【００５７】
以上のように、利用側冷媒回路１３ａ、１３ｂ、１３ｃ、１３ｄと、熱源側冷媒回路１２と、冷媒連絡管７、８、９と、接続側冷媒回路１４ａ、１４ｂ、１４ｃ、１４ｄとが接続されて、冷暖同時運転型空気調和装置１の冷媒回路１０が構成されている。そして、冷暖同時運転型空気調和装置１では、例えば、利用ユニット３ａ、３ｂが冷房運転を行いつつ、利用ユニット３ｃ、３ｄが暖房運転を行う冷暖同時運転を行うことが可能になっている。このとき、冷媒の放熱器として機能する利用側熱交換器５２ａ、５２ｂから冷媒の蒸発器として機能する利用側熱交換器５２ｃ、５２ｄに冷媒を送ることで利用ユニット３ａ、３ｂ、３ｃ、３ｄ間において熱回収が行われている。すなわち、冷暖同時運転型空気調和装置１は、圧縮機２１と、熱源側熱交換器２４、２５、３５と、個別に冷媒の蒸発器又は放熱器として機能させる切り換えが可能な複数（ここでは、４つ）の利用側熱交換器５２ａ、５２ｂ、５２ｃ、５２ｄとを含んでおり、冷媒の放熱器として機能する利用側熱交換器から冷媒の蒸発器として機能する利用側熱交換器に冷媒を送ることで利用側熱交換器間において熱回収を行うことが可能な熱回収型冷凍装置を構成している。そして、ここでは、上記のように、熱源側熱交換器２４、２５、３５の一部３５を、圧縮機２１から吐出される高圧のガス冷媒を常時流す予冷熱交換器３５とし、予冷熱交換器３５の下流側に、電装品２０ａを冷却する冷媒冷却器３６を接続するようにしている。
【００５８】
（２）熱回収型冷凍装置（冷暖同時運転型空気調和装置）の動作
次に、冷暖同時運転型空気調和装置１の動作について説明する。
【００５９】
冷暖同時運転型空気調和装置１の運転モードは、冷房運転モード（蒸発負荷大）と、冷房運転モード（蒸発負荷小）と、暖房運転モード（放熱負荷大）と、暖房運転モード（放熱負荷小）と、冷暖同時運転モード（蒸発負荷主体）と、冷暖同時運転モード（放熱負荷主体）と、冷暖同時運転モード（蒸発・放熱負荷均衡、熱源側熱交換器２４、２５に冷媒を流す場合）と、冷暖同時運転モード（蒸発・放熱負荷均衡、熱源側熱交換器２４、２５に冷媒を流さない場合）とに分けることができる。ここで、冷房運転モード（蒸発負荷大）は、冷房運転（すなわち、利用側熱交換器が冷媒の蒸発器として機能する運転）を行う利用ユニットだけが存在し、利用ユニット全体の蒸発負荷に対して主熱源側熱交換器としての熱源側熱交換器２４、２５の両方を冷媒の放熱器として機能させる運転モードである。冷房運転モード（蒸発負荷小）は、冷房運転（すなわち、利用側熱交換器が冷媒の蒸発器として機能する運転）を行う利用ユニットだけが存在し、利用ユニット全体の蒸発負荷に対して主熱源側熱交換器としての第１熱源側熱交換器２４だけを冷媒の放熱器として機能させる運転モードである。暖房運転モード（放熱負荷大）は、暖房運転（すなわち、利用側熱交換器が冷媒の放熱器として機能する運転）を行う利用ユニットだけが存在し、利用ユニット全体の放熱負荷に対して主熱源側熱交換器としての熱源側熱交換器２４、２５の両方を冷媒の蒸発器として機能させる運転モードである。暖房運転モード（放熱負荷小）は、暖房運転（すなわち、利用側熱交換器が冷媒の放熱器として機能する運転）を行う利用ユニットだけが存在し、利用ユニット全体の放熱負荷に対して主熱源側熱交換器としての第１熱源側熱交換器２４だけを冷媒の蒸発器として機能させる運転モードである。冷暖同時運転モード（蒸発負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が蒸発負荷主体である場合に、この利用ユニット全体の蒸発負荷に対して主熱源側熱交換器としての第１熱源側熱交換器２４だけを冷媒の放熱器として機能させる運転モードである。冷暖同時運転モード（放熱負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が放熱負荷主体である場合に、この利用ユニット全体の放熱負荷に対して主熱源側熱交換器としての第１熱源側熱交換器２４だけを冷媒の蒸発器として機能させる運転モードである。冷暖同時運転モード（蒸発・放熱負荷均衡、熱源側熱交換器２４、２５に冷媒を流す場合）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の蒸発負荷と放熱負荷とが均衡する場合に、主熱源側熱交換器としての第１熱源側熱交換器２４を冷媒の放熱器として機能させ、かつ、主熱源側熱交換器としての第２熱源側熱交換器２５を冷媒の蒸発器として機能させる運転モードである。冷暖同時運転モード（蒸発・放熱負荷均衡、熱源側熱交換器２４、２５に冷媒を流さない場合）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の蒸発負荷と放熱負荷とが均衡する場合に、主熱源側熱交換器としての第１熱源側熱交換器２４及び第２熱源側熱交換器２５の両方に冷媒を流さないようにした運転モードである。
【００６０】
尚、これらの運転モードを含む冷暖同時運転型空気調和装置１の動作は、上記の制御部２０、５０ａ、５０ｂ、５０ｃ、５０ｄ、６０ａ、６０ｂ、６０ｃ、６０ｄによって行われる。
【００６１】
＜冷房運転モード（蒸発負荷大）＞
冷房運転モード（蒸発負荷大）の際、例えば、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、主熱源側熱交換器としての熱源側熱交換器２４、２５の両方が冷媒の放熱器として機能する際、空気調和装置１の冷媒回路１０は、図４に示されるように構成される（冷媒の流れについては、図４の冷媒回路１０に付された矢印を参照）。
【００６２】
具体的には、熱源ユニット２においては、第１熱交切換機構２２を放熱運転状態（図４の第１熱交切換機構２２の実線で示された状態）に切り換え、第２熱交切換機構２３を放熱運転状態（図４の第２熱交切換機構２３の実線で示された状態）に切り換えることによって、熱源側熱交換器２４、２５の両方を冷媒の放熱器として機能させるようになっている。また、高低圧切換機構３０を蒸発負荷主体運転状態（図４の高低圧切換機構３０の実線で示された状態）に切り換えている。また、熱源側流量調節弁２６、２７は、開度調節され、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａ、６６ｂ、６６ｃ、６６ｄ、及び、低圧ガス開閉弁６７ａ、６７ｂ、６７ｃ、６７ｄを開状態にすることによって、利用ユニット３ａ、３ｂ、３ｃ、３ｄの利用側熱交換器５２ａ、５２ｂ、５２ｃ、５２ｄの全てを冷媒の蒸発器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吸入側とが高低圧ガス冷媒連絡管８及び低圧ガス冷媒連絡管９を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００６３】
このような冷媒回路１０において、圧縮機２１で圧縮され吐出された高圧のガス冷媒は、熱交切換機構２２、２３を通じて、主熱源側熱交換器としての熱源側熱交換器２４、２５の両方に送られる。また、圧縮機２１で圧縮され吐出された高圧のガス冷媒は、予冷熱交換器３５にも送られる。そして、熱源側熱交換器２４、２５に送られた高圧のガス冷媒は、熱源側熱交換器２４、２５において、室外ファン３４によって供給される熱源としての室外空気と熱交換を行うことによって放熱する。そして、熱源側熱交換器２４、２５において放熱した冷媒は、熱源側流量調節弁２６、２７において流量調節された後、合流して、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、熱源側熱交換器２４、２５からレシーバ２８に送られた冷媒は、レシーバ２８内に一時的に溜められた後、レシーバ出口管２８ｂにおいて冷媒冷却器３６を通過した冷媒と合流し、出口逆止弁２９ｃ及び液側閉鎖弁３１を通じて、液冷媒連絡管７に送られる。
【００６４】
そして、液冷媒連絡管７に送られた冷媒は、４つに分岐されて、各接続ユニット４ａ、４ｂ、４ｃ、４ｄの液接続管６１ａ、６１ｂ、６１ｃ、６１ｄに送られる。そして、液接続管６１ａ、６１ｂ、６１ｃ、６１ｄに送られた冷媒は、利用ユニット３ａ、３ｂ、３ｃ、３ｄの利用側流量調節弁５１ａ、５１ｂ、５１ｃ、５１ｄに送られる。
【００６５】
そして、利用側流量調節弁５１ａ、５１ｂ、５１ｃ、５１ｄに送られた冷媒は、利用側流量調節弁５１ａ、５１ｂ、５１ｃ、５１ｄにおいて流量調節された後、利用側熱交換器５２ａ、５２ｂ、５２ｃ、５２ｄにおいて、室内ファン５３ａ、５３ｂ、５３ｃ、５３ｄによって供給される室内空気と熱交換を行うことによって蒸発して低圧のガス冷媒となる。一方、室内空気は、冷却されて室内に供給されて、利用ユニット３ａ、３ｂ、３ｃ、３ｄの冷房運転が行われる。そして、低圧のガス冷媒は、接続ユニット４ａ、４ｂ、４ｃ、４ｄの合流ガス接続管６５ａ、６５ｂ、６５ｃ、６５ｄに送られる。
【００６６】
そして、合流ガス接続管６５ａ、６５ｂ、６５ｃ、６５ｄに送られた低圧のガス冷媒は、高圧ガス開閉弁６６ａ、６６ｂ、６６ｃ、６６ｄ及び高圧ガス接続管６３ａ、６３ｂ、６３ｃ、６３ｄを通じて、高低圧ガス冷媒連絡管８に送られて合流するとともに、低圧ガス開閉弁６７ａ、６７ｂ、６７ｃ、６７ｄ及び低圧ガス接続管６４ａ、６４ｂ、６４ｃ、６４ｄを通じて、低圧ガス冷媒連絡管９に送られて合流する。
【００６７】
そして、ガス冷媒連絡管８、９に送られた低圧のガス冷媒は、ガス側閉鎖弁３２、３３及び高低圧切換機構３０を通じて、圧縮機２１の吸入側に戻される。
【００６８】
このようにして、冷房運転モード（蒸発負荷大）における動作が行われる。そして、冷房運転モード（蒸発負荷大）では、上記のように、冷媒冷却器３６に予冷熱交換器３５を通じて常時冷媒を流すことができる。これにより、冷房運転モード（蒸発負荷大）において、冷媒冷却器３６を流れる冷媒の流量を確保して電装品２０ａの冷却を行うことができるようになっている。
【００６９】
＜冷房運転モード（蒸発負荷小）＞
冷房運転モード（蒸発負荷小）、例えば、利用ユニット３ａだけが冷房運転（すなわち、利用側熱交換器５２ａだけが冷媒の蒸発器として機能する運転）を行い、主熱源側熱交換器としての第１熱源側熱交換器２４だけが冷媒の放熱器として機能する際、空気調和装置１の冷媒回路１０は、図５に示されるように構成される（冷媒の流れについては、図５の冷媒回路１０に付された矢印を参照）。
【００７０】
具体的には、熱源ユニット２においては、第１熱交切換機構２２を放熱運転状態（図５の第１熱交切換機構２２の実線で示された状態）に切り換えることによって、第１熱源側熱交換器２４だけを冷媒の放熱器として機能させるようになっている。また、高低圧切換機構３０を蒸発負荷主体運転状態（図５の高低圧切換機構３０の実線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａ、及び、低圧ガス開閉弁６７ａを開状態にし、かつ、高圧ガス開閉弁６６ｂ、６６ｃ、６６ｄ、及び、低圧ガス開閉弁６７ｂ、６７ｃ、６７ｄを閉状態にすることによって、利用ユニット３ａの利用側熱交換器５２ａだけを冷媒の蒸発器として機能させるとともに、利用ユニット３ａの利用側熱交換器５２ａと熱源ユニット２の圧縮機２１の吸入側とが高低圧ガス冷媒連絡管８及び低圧ガス冷媒連絡管９を介して接続された状態になっている。利用ユニット３ａにおいては、利用側流量調節弁５１ａは、開度調節され、利用ユニット３ｂ、３ｃ、３ｄにおいては、利用側流量調節弁５１ｂ、５１ｃ、５１ｄは、閉状態になっている。
【００７１】
このような冷媒回路１０において、圧縮機２１で圧縮され吐出された高圧のガス冷媒は、第１熱交切換機構２２を通じて、主熱源側熱交換器としての第１熱源側熱交換器２４に送られる。また、圧縮機２１で圧縮され吐出された高圧のガス冷媒は、予冷熱交換器３５にも送られる。そして、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。冷媒冷却器３６を通過した冷媒は、冷媒冷却側流量調節弁３７において流量調節された後、レシーバ出口管２８ｂに送られる。そして、第１熱源側熱交換器２４からレシーバ２８に送られた冷媒は、レシーバ２８内に一時的に溜められた後、レシーバ出口管２８ｂにおいて冷媒冷却器３６を通過した冷媒と合流し、出口逆止弁２９ｃ及び液側閉鎖弁３１を通じて、液冷媒連絡管７に送られる。
【００７２】
そして、液冷媒連絡管７に送られた冷媒は、接続ユニット４ａの液接続管６１ａだけに送られる。そして、接続ユニット４ａの液接続管６１ａに送られた冷媒は、利用ユニット３ａの利用側流量調節弁５１ａに送られる。
【００７３】
そして、利用側流量調節弁５１ａに送られた冷媒は、利用側流量調節弁５１ａにおいて流量調節された後、利用側熱交換器５２ａにおいて、室内ファン５３ａによって供給される室内空気と熱交換を行うことによって蒸発して低圧のガス冷媒となる。一方、室内空気は、冷却されて室内に供給されて、利用ユニット３ａだけの冷房運転が行われる。そして、低圧のガス冷媒は、接続ユニット４ａの合流ガス接続管６５ａに送られる。
【００７４】
そして、合流ガス接続管６５ａに送られた低圧のガス冷媒は、高圧ガス開閉弁６６ａ及び高圧ガス接続管６３ａを通じて、高低圧ガス冷媒連絡管８に送られるとともに、低圧ガス開閉弁６７ａ及び低圧ガス接続管６４ａを通じて、低圧ガス冷媒連絡管９に送られる。
【００７５】
そして、ガス冷媒連絡管８、９に送られた低圧のガス冷媒は、ガス側閉鎖弁３２、３３及び高低圧切換機構３０を通じて、圧縮機２１の吸入側に戻される。
【００７６】
このようにして、冷房運転モード（蒸発負荷小）における動作が行われる。そして、冷房運転モード（蒸発負荷小）では、上記のように、冷媒冷却器３６に予冷熱交換器３５を通じて常時冷媒を流すことができる。これにより、冷房運転モード（蒸発負荷小）において、冷媒冷却器３６を流れる冷媒の流量を確保して電装品２０ａの冷却を行うことができるようになっている。
【００７７】
＜暖房運転モード（放熱負荷大）＞
暖房運転モード（放熱負荷大）の際、例えば、例えば、利用ユニット３ａ、３ｂ、３ｃ、３ｄの全てが暖房運転（すなわち、利用側熱交換器５２ａ、５２ｂ、５２ｃ、５２ｄの全てが冷媒の放熱器として機能する運転）を行い、主熱源側熱交換器としての熱源側熱交換器２４、２５の両方が冷媒の蒸発器として機能する際、空気調和装置１の冷媒回路１０は、図６に示されるように構成される（冷媒の流れについては、図６の冷媒回路１０に付された矢印を参照）。
【００７８】
具体的には、熱源ユニット２においては、第１熱交切換機構２２を蒸発運転状態（図６の第１熱交切換機構２２の破線で示された状態）に切り換え、第２熱交切換機構２３を蒸発運転状態（図６の第２熱交切換機構２３の破線で示された状態）に切り換えることによって、熱源側熱交換器２４、２５の両方を冷媒の蒸発器として機能させるようになっている。また、高低圧切換機構３０を放熱負荷主体運転状態（図６の高低圧切換機構３０の破線で示された状態）に切り換えている。また、熱源側流量調節弁２６、２７は、開度調節され、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａ、６６ｂ、６６ｃ、６６ｄを開状態にし、低圧ガス開閉弁６７ａ、６７ｂ、６７ｃ、６７ｄを閉状態にすることによって、利用ユニット３ａ、３ｂ、３ｃ、３ｄの利用側熱交換器５２ａ、５２ｂ、５２ｃ、５２ｄの全てを冷媒の放熱器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００７９】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、予冷熱交換器３５にも送られる。予冷熱交換器３５に送られた高圧のガス冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００８０】
そして、高低圧ガス冷媒連絡管８に送られた高圧のガス冷媒は、４つに分岐されて、各接続ユニット４ａ、４ｂ、４ｃ、４ｄの高圧ガス接続管６３ａ、６３ｂ、６３ｃ、６３ｄに送られる。高圧ガス接続管６３ａ、６３ｂ、６３ｃ、６３ｄに送られた高圧のガス冷媒は、高圧ガス開閉弁６６ａ、６６ｂ、６６ｃ、６６ｄ及び合流ガス接続管６５ａ、６５ｂ、６５ｃ、６５ｄを通じて、利用ユニット３ａ、３ｂ、３ｃ、３ｄの利用側熱交換器５２ａ、５２ｂ、５２ｃ、５２ｄに送られる。
【００８１】
そして、利用側熱交換器５２ａ、５２ｂ、５２ｃ、５２ｄに送られた高圧のガス冷媒は、利用側熱交換器５２ａ、５２ｂ、５２ｃ、５２ｄにおいて、室内ファン５３ａ、５３ｂ、５３ｃ、５３ｄによって供給される室内空気と熱交換を行うことによって放熱する。一方、室内空気は、加熱されて室内に供給されて、利用ユニット３ａ、３ｂ、３ｃ、３ｄの暖房運転が行われる。利用側熱交換器５２ａ、５２ｂ、５２ｃ、５２ｄにおいて放熱した冷媒は、利用側流量調節弁５１ａ、５１ｂ、５１ｃ、５１ｄにおいて流量調節された後、接続ユニット４ａ、４ｂ、４ｃ、４ｄの液接続管６１ａ、６１ｂ、６１ｃ、６１ｄに送られる。
【００８２】
そして、液接続管６１ａ、６１ｂ、６１ｃ、６１ｄに送られた冷媒は、液冷媒連絡管７に送られて合流する。
【００８３】
そして、液冷媒連絡管７に送られた冷媒は、液側閉鎖弁３１、入口逆止弁２９ｂ及びレシーバ入口開閉弁２８ｃを通じて、レシーバ２８に送られる。レシーバ２８に送られた冷媒は、レシーバ２８内に一時的に溜められた後、レシーバ出口管２８ｂにおいて冷媒冷却器３６を通過した冷媒と合流し、出口逆止弁２９ｄを通じて、熱源側流量調節弁２６、２７の両方に送られる。そして、熱源側流量調節弁２６、２７に送られた冷媒は、熱源側流量調節弁２６、２７において流量調節された後、熱源側熱交換器２４、２５において、室外ファン３４によって供給される室外空気と熱交換を行うことによって蒸発して低圧のガス冷媒になり、熱交切換機構２２、２３に送られる。そして、熱交切換機構２２、２３に送られた低圧のガス冷媒は、合流して、圧縮機２１の吸入側に戻される。
【００８４】
このようにして、暖房運転モード（放熱負荷大）における動作が行われる。そして、暖房運転モード（放熱負荷大）では、上記のように、冷媒冷却器３６に予冷熱交換器３５を通じて常時冷媒を流すことができる。これにより、暖房運転モード（放熱負荷大）において、冷媒冷却器３６を流れる冷媒の流量を確保して電装品２０ａの冷却を行うことができるようになっている。
【００８５】
＜暖房運転モード（放熱負荷小）＞
暖房運転モード（放熱負荷小）、例えば、利用ユニット３ａだけが暖房運転（すなわち、利用側熱交換器５２ａだけが冷媒の放熱器として機能する運転）を行い、主熱源側熱交換器としての第１熱源側熱交換器２４だけが冷媒の蒸発器として機能する際、空気調和装置１の冷媒回路１０は、図７に示されるように構成される（冷媒の流れについては、図７の冷媒回路１０に付された矢印を参照）。
【００８６】
具体的には、熱源ユニット２においては、第１熱交切換機構２２を蒸発運転状態（図７の第１熱交切換機構２２の破線で示された状態）に切り換えることによって、第１熱源側熱交換器２４だけを冷媒の蒸発器として機能させるようになっている。また、高低圧切換機構３０を放熱負荷主体運転状態（図７の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａを開状態にし、高圧ガス開閉弁６６ｂ、６６ｃ、６６ｄ、及び、低圧ガス開閉弁６７ａ、６７ｂ、６７ｃ、６７ｄを閉状態にすることによって、利用ユニット３ａの利用側熱交換器５２ａだけを冷媒の放熱器として機能させるとともに、利用ユニット３ａの利用側熱交換器５２ａと熱源ユニット２の圧縮機２１の吐出側とが高低圧ガス冷媒連絡管８を介して接続された状態になっている。利用ユニット３ａにおいては、利用側流量調節弁５１ａは、開度調節され、利用ユニット３ｂ、３ｃ、３ｄにおいては、利用側流量調節弁５１ｂ、５１ｃ、５１ｄは、閉状態になっている。
【００８７】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、予冷熱交換器３５にも送られる。予冷熱交換器３５に送られた高圧のガス冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００８８】
そして、高低圧ガス冷媒連絡管８に送られた高圧のガス冷媒は、接続ユニット４ａの高圧ガス接続管６３ａだけに送られる。高圧ガス接続管６３ａに送られた高圧のガス冷媒は、高圧ガス開閉弁６６ａ及び合流ガス接続管６５ａを通じて、利用ユニット３ａの利用側熱交換器５２ａに送られる。
【００８９】
そして、利用側熱交換器５２ａに送られた高圧のガス冷媒は、利用側熱交換器５２ａにおいて、室内ファン５３ａによって供給される室内空気と熱交換を行うことによって放熱する。一方、室内空気は、加熱されて室内に供給されて、利用ユニット３ａだけの暖房運転が行われる。利用側熱交換器５２ａにおいて放熱した冷媒は、利用側流量調節弁５１ａにおいて流量調節された後、接続ユニット４ａの液接続管６１ａに送られる。
【００９０】
そして、液接続管６１ａに送られた冷媒は、液冷媒連絡管７に送られる。
【００９１】
そして、液冷媒連絡管７に送られた冷媒は、液側閉鎖弁３１、入口逆止弁２９ｂ及びレシーバ入口開閉弁２８ｃを通じて、レシーバ２８に送られる。レシーバ２８に送られた冷媒は、レシーバ２８内に一時的に溜められた後、レシーバ出口管２８ｂにおいて冷媒冷却器３６を通過した冷媒と合流し、出口逆止弁２９ｄを通じて、第１熱源側流量調節弁２６だけに送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交切換機構２２に送られる。そして、第１熱交切換機構２２に送られた低圧のガス冷媒は、圧縮機２１の吸入側に戻される。
【００９２】
このようにして、暖房運転モード（放熱負荷小）における動作が行われる。そして、暖房運転モード（放熱負荷小）では、上記のように、冷媒冷却器３６に予冷熱交換器３５を通じて常時冷媒を流すことができる。これにより、暖房運転モード（放熱負荷小）において、冷媒冷却器３６を流れる冷媒の流量を確保して電装品２０ａの冷却を行うことができるようになっている。
【００９３】
＜冷暖同時運転モード（蒸発負荷主体）＞
冷暖同時運転モード（蒸発負荷主体）、例えば、利用ユニット３ａ、３ｂ、３ｃが冷房運転し、かつ、利用ユニット３ｄが暖房運転し（すなわち、利用側熱交換器５２ａ、５２ｂ、５２ｃが冷媒の蒸発器として機能し、かつ、利用側熱交換器５２ｄが冷媒の放熱器として機能する運転）を行い、主熱源側熱交換器としての第１熱源側熱交換器２４だけが冷媒の放熱器として機能する際、空気調和装置１の冷媒回路１０は、図８に示されるように構成される（冷媒の流れについては、図８の冷媒回路１０に付された矢印を参照）。
【００９４】
具体的には、熱源ユニット２においては、第１熱交切換機構２２を放熱運転状態（図８の第１熱交切換機構２２の実線で示された状態）に切り換えることによって、第１熱源側熱交換器２４だけを冷媒の放熱器として機能させるようになっている。また、高低圧切換機構３０を放熱負荷主体運転状態（図８の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ｄ、及び、低圧ガス開閉弁６７ａ、６７ｂ、６７ｃを開状態にし、かつ、高圧ガス開閉弁６６ａ、６６ｂ、６６ｃ、及び、低圧ガス開閉弁６７ｄを閉状態にすることによって、利用ユニット３ａ、３ｂ、３ｃの利用側熱交換器５２ａ、５２ｂ、５２ｃを冷媒の蒸発器として機能させ、かつ、利用ユニット３ｄの利用側熱交換器５２ｄを冷媒の放熱器として機能させるとともに、利用ユニット３ａ、３ｂ、３ｃの利用側熱交換器５２ａ、５２ｂ、５２ｃと熱源ユニット２の圧縮機２１の吸入側とが低圧ガス冷媒連絡管９を介して接続された状態になり、かつ、利用ユニット３ｄの利用側熱交換器５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００９５】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。また、圧縮機２１で圧縮され吐出された高圧のガス冷媒は、予冷熱交換器３５にも送られる。
【００９６】
そして、高低圧ガス冷媒連絡管８に送られた高圧のガス冷媒は、接続ユニット４ｄの高圧ガス接続管６３ｄに送られる。高圧ガス接続管６３ｄに送られた高圧のガス冷媒は、高圧ガス開閉弁６６ｄ及び合流ガス接続管６５ｄを通じて、利用ユニット３ｄの利用側熱交換器５２ｄに送られる。
【００９７】
そして、利用側熱交換器５２ｄに送られた高圧のガス冷媒は、利用側熱交換器５２ｄにおいて、室内ファン５３ｄによって供給される室内空気と熱交換を行うことによって放熱する。一方、室内空気は、加熱されて室内に供給されて、利用ユニット３ｄの暖房運転が行われる。利用側熱交換器５２ｄにおいて放熱した冷媒は、利用側流量調節弁５１ｄにおいて流量調節された後、接続ユニット４ｄの液接続管６１ｄに送られる。
【００９８】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、第１熱源側熱交換器２４からレシーバ２８に送られた冷媒は、レシーバ２８内に一時的に溜められた後、レシーバ出口管２８ｂにおいて冷媒冷却器３６を通過した冷媒と合流し、出口逆止弁２９ｃ及び液側閉鎖弁３１を通じて、液冷媒連絡管７に送られる。
【００９９】
そして、利用側熱交換器５２ｄにおいて放熱して液接続管６１ｄに送られた冷媒は、液冷媒連絡管７に送られて、第１熱源側熱交換器２４において放熱して液冷媒連絡管７に送られた冷媒と合流する。
【０１００】
そして、液冷媒連絡管７において合流した冷媒は、３つに分岐されて、各接続ユニット４ａ、４ｂ、４ｃの液接続管６１ａ、６１ｂ、６１ｃに送られる。そして、液接続管６１ａ、６１ｂ、６１ｃに送られた冷媒は、利用ユニット３ａ、３ｂ、３ｃの利用側流量調節弁５１ａ、５１ｂ、５１ｃに送られる。
【０１０１】
そして、利用側流量調節弁５１ａ、５１ｂ、５１ｃに送られた冷媒は、利用側流量調節弁５１ａ、５１ｂ、５１ｃにおいて流量調節された後、利用側熱交換器５２ａ、５２ｂ、５２ｃにおいて、室内ファン５３ａ、５３ｂ、５３ｃによって供給される室内空気と熱交換を行うことによって蒸発して低圧のガス冷媒となる。一方、室内空気は、冷却されて室内に供給されて、利用ユニット３ａ、３ｂ、３ｃの冷房運転が行われる。そして、低圧のガス冷媒は、接続ユニット４ａ、４ｂ、４ｃの合流ガス接続管６５ａ、６５ｂ、６５ｃに送られる。
【０１０２】
そして、合流ガス接続管６５ａ、６５ｂ、６５ｃに送られた低圧のガス冷媒は、低圧ガス開閉弁６７ａ、６７ｂ、６７ｃ及び低圧ガス接続管６４ａ、６４ｂ、６４ｃを通じて、低圧ガス冷媒連絡管９に送られて合流する。
【０１０３】
そして、低圧ガス冷媒連絡管９に送られた低圧のガス冷媒は、ガス側閉鎖弁３３を通じて、圧縮機２１の吸入側に戻される。
【０１０４】
このようにして、冷暖同時運転モード（蒸発負荷主体）における動作が行われる。そして、冷暖同時運転モード（蒸発負荷主体）では、上記のように、冷媒の放熱器として機能する利用側熱交換器５２ｄから冷媒の蒸発器として機能する利用側熱交換器５２ａ、５２ｂ、５２ｃに冷媒を送ることで利用側熱交換器５２ａ、５２ｂ、５２ｃ、５２ｄ間において熱回収が行われるようになっている。また、冷暖同時運転モード（蒸発負荷主体）では、上記のように、冷媒冷却器３６に予冷熱交換器３５を通じて常時冷媒を流すことができる。これにより、冷暖同時運転モード（蒸発負荷主体）において、冷媒冷却器３６を流れる冷媒の流量を確保して電装品２０ａの冷却を行うことができるようになっている。
【０１０５】
＜冷暖同時運転モード（放熱負荷主体）＞
冷暖同時運転モード（放熱負荷主体）、例えば、利用ユニット３ａ、３ｂ、３ｃが暖房運転し、かつ、利用ユニット３ｄが冷房運転し（すなわち、利用側熱交換器５２ａ、５２ｂ、５２ｃが冷媒の放熱器として機能し、かつ、利用側熱交換器５２ｄが冷媒の蒸発器として機能する運転）を行い、主熱源側熱交換器としての第１熱源側熱交換器２４だけが冷媒の蒸発器として機能する際、空気調和装置１の冷媒回路１０は、図９に示されるように構成される（冷媒の流れについては、図９の冷媒回路１０に付された矢印を参照）。
【０１０６】
具体的には、熱源ユニット２においては、第１熱交切換機構２２を蒸発運転状態（図９の第１熱交切換機構２２の破線で示された状態）に切り換えることによって、第１熱源側熱交換器２４だけを冷媒の蒸発器として機能させるようになっている。また、高低圧切換機構３０を放熱負荷主体運転状態（図９の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａ、６６ｂ、６６ｃ、及び、低圧ガス開閉弁６７ｄを開状態にし、かつ、高圧ガス開閉弁６６ｄ、及び、低圧ガス開閉弁６７ａ、６７ｂ、６７ｃを閉状態にすることによって、利用ユニット３ａ、３ｂ、３ｃの利用側熱交換器５２ａ、５２ｂ、５２ｃを冷媒の放熱器として機能させ、かつ、利用ユニット３ｄの利用側熱交換器５２ｄを冷媒の蒸発器として機能させるとともに、利用ユニット３ｄの利用側熱交換器５２ｄと熱源ユニット２の圧縮機２１の吸入側とが低圧ガス冷媒連絡管９を介して接続された状態になり、かつ、利用ユニット３ａ、３ｂ、３ｃの利用側熱交換器５２ａ、５２ｂ、５２ｃと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【０１０７】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、予冷熱交換器３５にも送られる。予冷熱交換器３５に送られた高圧のガス冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【０１０８】
そして、高低圧ガス冷媒連絡管８に送られた高圧のガス冷媒は、３つに分岐されて、各接続ユニット４ａ、４ｂ、４ｃの高圧ガス接続管６３ａ、６３ｂ、６３ｃに送られる。高圧ガス接続管６３ａ、６３ｂ、６３ｃに送られた高圧のガス冷媒は、高圧ガス開閉弁６６ａ、６６ｂ、６６ｃ及び合流ガス接続管６５ａ、６５ｂ、６５ｃを通じて、利用ユニット３ａ、３ｂ、３ｃの利用側熱交換器５２ａ、５２ｂ、５２ｃに送られる。
【０１０９】
そして、利用側熱交換器５２ａ、５２ｂ、５２ｃに送られた高圧のガス冷媒は、利用側熱交換器５２ａ、５２ｂ、５２ｃにおいて、室内ファン５３ａ、５３ｂ、５３ｃによって供給される室内空気と熱交換を行うことによって放熱する。一方、室内空気は、加熱されて室内に供給されて、利用ユニット３ａ、３ｂ、３ｃの暖房運転が行われる。利用側熱交換器５２ａ、５２ｂ、５２ｃにおいて放熱した冷媒は、利用側流量調節弁５１ａ、５１ｂ、５１ｃにおいて流量調節された後、接続ユニット４ａ、４ｂ、４ｃの液接続管６１ａ、６１ｂ、６１ｃに送られる。
【０１１０】
そして、液接続管６１ａ、６１ｂ、６１ｃ、６１ｄに送られた冷媒は、液冷媒連絡管７に送られて合流する。
【０１１１】
液冷媒連絡管７において合流した冷媒は、その一部が、接続ユニット４ｄの液接続管６１ｄに送られ、残りが、液側閉鎖弁３１、入口逆止弁２９ｂ及びレシーバ入口開閉弁２８ｃを通じて、レシーバ２８に送られる。
【０１１２】
そして、接続ユニット４ｄの液接続管６１ｄに送られた冷媒は、利用ユニット３ｄの利用側流量調節弁５１ｄに送られる。
【０１１３】
そして、利用側流量調節弁５１ｄに送られた冷媒は、利用側流量調節弁５１ｄにおいて流量調節された後、利用側熱交換器５２ｄにおいて、室内ファン５３ｄによって供給される室内空気と熱交換を行うことによって蒸発して低圧のガス冷媒となる。一方、室内空気は、冷却されて室内に供給されて、利用ユニット３ｄの冷房運転が行われる。そして、低圧のガス冷媒は、接続ユニット４ｄの合流ガス接続管６５ｄに送られる。
【０１１４】
そして、合流ガス接続管６５ｄに送られた低圧のガス冷媒は、低圧ガス開閉弁６７ｄ及び低圧ガス接続管６４ｄを通じて、低圧ガス冷媒連絡管９に送られる。
【０１１５】
そして、低圧ガス冷媒連絡管９に送られた低圧のガス冷媒は、ガス側閉鎖弁３３を通じて、圧縮機２１の吸入側に戻される。
【０１１６】
また、レシーバ２８に送られた冷媒は、レシーバ２８内に一時的に溜められた後、レシーバ出口管２８ｂにおいて冷媒冷却器３６を通過した冷媒と合流し、出口逆止弁２９ｄを通じて、第１熱源側流量調節弁２６に送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交切換機構２２に送られる。そして、第１熱交切換機構２２に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【０１１７】
このようにして、冷暖同時運転モード（放熱負荷主体）における動作が行われる。そして、冷暖同時運転モード（放熱負荷主体）では、上記のように、冷媒の放熱器として機能する利用側熱交換器５２ａ、５２ｂ、５２ｃから冷媒の蒸発器として機能する利用側熱交換器５２ｄに冷媒を送ることで利用側熱交換器５２ａ、５２ｂ、５２ｃ、５２ｄ間において熱回収が行われるようになっている。また、冷暖同時運転モード（放熱負荷主体）では、上記のように、冷媒冷却器３６に予冷熱交換器３５を通じて常時冷媒を流すことができる。これにより、冷暖同時運転モード（放熱負荷主体）において、冷媒冷却器３６を流れる冷媒の流量を確保して電装品２０ａの冷却を行うことができるようになっている。
【０１１８】
＜冷暖同時運転モード（蒸発・放熱負荷均衡、熱源側熱交換器に冷媒を流す場合）＞
冷暖同時運転モード（蒸発・放熱負荷均衡、熱源側熱交換器に冷媒を流す場合）、例えば、利用ユニット３ａ、３ｂが冷房運転し、かつ、利用ユニット３ｃ、３ｄが暖房運転し（すなわち、利用側熱交換器５２ａ、５２ｂが冷媒の蒸発器として機能し、かつ、利用側熱交換器５２ｃ、５２ｄが冷媒の放熱器として機能する運転）を行い、主熱源側熱交換器としての第１熱源側熱交換器２４が冷媒の放熱器として機能し、かつ、主熱源側熱交換器としての第２熱源側熱交換器２５が冷媒の蒸発器として機能する際、空気調和装置１の冷媒回路１０は、図１０に示されるように構成される（冷媒の流れについては、図１０の冷媒回路１０に付された矢印を参照）。
【０１１９】
具体的には、熱源ユニット２においては、第１熱交切換機構２２を放熱運転状態（図１０の第１熱交切換機構２２の実線で示された状態）に切り換え、かつ、第２熱交切換機構２３を蒸発運転状態（図１０の第２熱交切換機構２３の破線で示された状態）に切り換えることによって、第１熱源側熱交換器２４を冷媒の放熱器として機能させ、かつ、第２熱源側熱交換器２５を冷媒の蒸発器として機能させるようになっている。また、高低圧切換機構３０を放熱負荷主体運転状態（図１０の高低圧切換機構３０の破線で示された状態）に切り換えている。また、熱源側流量調節弁２６、２７は、開度調節されている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ｃ、６６ｄ、及び、低圧ガス開閉弁６７ａ、６７ｂを開状態にし、かつ、高圧ガス開閉弁６６ａ、６６ｂ、及び、低圧ガス開閉弁６７ｃ、６７ｄを閉状態にすることによって、利用ユニット３ａ、３ｂの利用側熱交換器５２ａ、５２ｂを冷媒の蒸発器として機能させ、かつ、利用ユニット３ｃ、３ｄの利用側熱交換器５２ｃ、５２ｄを冷媒の放熱器として機能させるとともに、利用ユニット３ａ、３ｂの利用側熱交換器５２ａ、５２ｂと熱源ユニット２の圧縮機２１の吸入側とが低圧ガス冷媒連絡管９を介して接続された状態になり、かつ、利用ユニット３ｃ、３ｄの利用側熱交換器５２ｃ、５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【０１２０】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。また、圧縮機２１で圧縮され吐出された高圧のガス冷媒は、予冷熱交換器３５にも送られる。
【０１２１】
そして、高低圧ガス冷媒連絡管８に送られた高圧のガス冷媒は、接続ユニット４ｃ、４ｄの高圧ガス接続管６３ｃ、６３ｄに送られる。高圧ガス接続管６３ｃ、６３ｄに送られた高圧のガス冷媒は、高圧ガス開閉弁６６ｃ、６６ｄ及び合流ガス接続管６５ｃ、６５ｄを通じて、利用ユニット３ｃ、３ｄの利用側熱交換器５２ｃ、５２ｄに送られる。
【０１２２】
そして、利用側熱交換器５２ｃ、５２ｄに送られた高圧のガス冷媒は、利用側熱交換器５２ｃ、５２ｄにおいて、室内ファン５３ｃ、５３ｄによって供給される室内空気と熱交換を行うことによって放熱する。一方、室内空気は、加熱されて室内に供給されて、利用ユニット３ｃ、３ｄの暖房運転が行われる。利用側熱交換器５２ｃ、５２ｄにおいて放熱した冷媒は、利用側流量調節弁５１ｃ、５１ｄにおいて流量調節された後、接続ユニット４ｃ、４ｄの液接続管６１ｃ、６１ｄに送られる。
【０１２３】
そして、利用側熱交換器５２ｃ、５２ｄにおいて放熱して液接続管６１ｃ、６１ｄに送られた冷媒は、液冷媒連絡管７に送られて合流する。
【０１２４】
そして、液冷媒連絡管７において合流した冷媒は、２つに分岐されて、各接続ユニット４ａ、４ｂの液接続管６１ａ、６１ｂに送られる。そして、液接続管６１ａ、６１ｂに送られた冷媒は、利用ユニット３ａ、３ｂの利用側流量調節弁５１ａ、５１ｂに送られる。
【０１２５】
そして、利用側流量調節弁５１ａ、５１ｂに送られた冷媒は、利用側流量調節弁５１ａ、５１ｂにおいて流量調節された後、利用側熱交換器５２ａ、５２ｂにおいて、室内ファン５３ａ、５３ｂによって供給される室内空気と熱交換を行うことによって蒸発して低圧のガス冷媒となる。一方、室内空気は、冷却されて室内に供給されて、利用ユニット３ａ、３ｂの冷房運転が行われる。そして、低圧のガス冷媒は、接続ユニット４ａ、４ｂの合流ガス接続管６５ａ、６５ｂに送られる。
【０１２６】
そして、合流ガス接続管６５ａ、６５ｂに送られた低圧のガス冷媒は、低圧ガス開閉弁６７ａ、６７ｂ及び低圧ガス接続管６４ａ、６４ｂを通じて、低圧ガス冷媒連絡管９に送られて合流する。
【０１２７】
そして、低圧ガス冷媒連絡管９に送られた低圧のガス冷媒は、ガス側閉鎖弁３３を通じて、圧縮機２１の吸入側に戻される。
【０１２８】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６を通過した後、そのほとんどが、第２熱源側流量調節弁２７に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。レシーバ出口管２８ｂに送られた冷媒は、出口逆止弁２９ｄを通じて、第２熱源側流量調節弁２７に送られる。このため、第１熱源側熱交換器２４において放熱した冷媒が、レシーバ２８、ブリッジ回路２９及び液側閉鎖弁３１を通じて、液冷媒連絡管７に送られない状態になっている。そして、第２熱源側流量調節弁２７に送られた冷媒は、第２熱源側流量調節弁２７において流量調節された後、第２熱源側熱交換器２５において、室外ファン３４によって供給される室外空気と熱交換を行うことによって蒸発して低圧のガス冷媒になり、第２熱交切換機構２３に送られる。そして、第２熱交切換機構２３に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【０１２９】
このようにして、冷暖同時運転モード（蒸発・放熱負荷均衡、熱源側熱交換器に冷媒を流す場合）における動作が行われる。そして、冷暖同時運転モード（蒸発・放熱負荷均衡、熱源側熱交換器に冷媒を流す場合）では、上記のように、冷媒の放熱器として機能する利用側熱交換器５２ｃ、５２ｄから冷媒の蒸発器として機能する利用側熱交換器５２ａ、５２ｂに冷媒を送ることで利用側熱交換器５２ａ、５２ｂ、５２ｃ、５２ｄ間において熱回収が行われるようになっている。また、冷暖同時運転モード（蒸発・放熱負荷均衡、熱源側熱交換器に冷媒を流す場合）では、上記のように、第１熱源側熱交換器２４を冷媒の放熱器として機能させ、かつ、第２熱源側熱交換器２５を冷媒の蒸発器として機能させることで、２つの熱源側熱交換器２４、２５の蒸発負荷と放熱負荷とを相殺させる対応が行われるようになっている。さらに、冷暖同時運転モード（蒸発・放熱負荷均衡、熱源側熱交換器に冷媒を流す場合）では、上記のように、冷媒冷却器３６に予冷熱交換器３５を通じて常時冷媒を流すことができる。これにより、冷暖同時運転モード（蒸発・放熱負荷均衡、熱源側熱交換器に冷媒を流す場合）において、冷媒冷却器３６を流れる冷媒の流量を確保して電装品２０ａの冷却を行うことができるようになっている。
【０１３０】
＜冷暖同時運転モード（蒸発・放熱負荷均衡、熱源側熱交換器に冷媒を流さない場合）＞
冷暖同時運転モード（蒸発・放熱負荷均衡、熱源側熱交換器に冷媒を流さない場合）、例えば、利用ユニット３ａ、３ｂが冷房運転し、かつ、利用ユニット３ｃ、３ｄが暖房運転し（すなわち、利用側熱交換器５２ａ、５２ｂが冷媒の蒸発器として機能し、かつ、利用側熱交換器５２ｃ、５２ｄが冷媒の放熱器として機能する運転）を行い、主熱源側熱交換器としての第１熱源側熱交換器２４及び第２熱源側熱交換器２５の両方に冷媒を流さないようする際、空気調和装置１の冷媒回路１０は、図１１に示されるように構成される（冷媒の流れについては、図１１の冷媒回路１０に付された矢印を参照）。
【０１３１】
具体的には、熱源ユニット２においては、熱源側流量調節弁２６、２７を閉状態にすることによって、第１熱源側熱交換器２４及び第２熱源側熱交換器２５の両方に冷媒を流さないようにしている。また、高低圧切換機構３０を放熱負荷主体運転状態（図１１の高低圧切換機構３０の破線で示された状態）に切り換えている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ｃ、６６ｄ、及び、低圧ガス開閉弁６７ａ、６７ｂを開状態にし、かつ、高圧ガス開閉弁６６ａ、６６ｂ、及び、低圧ガス開閉弁６７ｃ、６７ｄを閉状態にすることによって、利用ユニット３ａ、３ｂの利用側熱交換器５２ａ、５２ｂを冷媒の蒸発器として機能させ、かつ、利用ユニット３ｃ、３ｄの利用側熱交換器５２ｃ、５２ｄを冷媒の放熱器として機能させるとともに、利用ユニット３ａ、３ｂの利用側熱交換器５２ａ、５２ｂと熱源ユニット２の圧縮機２１の吸入側とが低圧ガス冷媒連絡管９を介して接続された状態になり、かつ、利用ユニット３ｃ、３ｄの利用側熱交換器５２ｃ、５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【０１３２】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、予冷熱交換器３５だけに送られる。
【０１３３】
そして、予冷熱交換器３５に送られた高圧のガス冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。レシーバ出口管２８ｂに送られた冷媒は、出口逆止弁２９ｃ、液側閉鎖弁３１を通じて、液冷媒連絡管７に送られる。このため、液冷媒連絡管７には、熱源側熱交換器２４、２５を通じて冷媒が送られることはなく、予冷熱交換器３５及び冷媒冷却器３６を通じて小流量の冷媒が送られる状態になっている。
【０１３４】
また、高低圧ガス冷媒連絡管８に送られた高圧のガス冷媒は、接続ユニット４ｃ、４ｄの高圧ガス接続管６３ｃ、６３ｄに送られる。高圧ガス接続管６３ｃ、６３ｄに送られた高圧のガス冷媒は、高圧ガス開閉弁６６ｃ、６６ｄ及び合流ガス接続管６５ｃ、６５ｄを通じて、利用ユニット３ｃ、３ｄの利用側熱交換器５２ｃ、５２ｄに送られる。
【０１３５】
そして、利用側熱交換器５２ｃ、５２ｄに送られた高圧のガス冷媒は、利用側熱交換器５２ｃ、５２ｄにおいて、室内ファン５３ｃ、５３ｄによって供給される室内空気と熱交換を行うことによって放熱する。一方、室内空気は、加熱されて室内に供給されて、利用ユニット３ｃ、３ｄの暖房運転が行われる。利用側熱交換器５２ｃ、５２ｄにおいて放熱した冷媒は、利用側流量調節弁５１ｃ、５１ｄにおいて流量調節された後、接続ユニット４ｃ、４ｄの液接続管６１ｃ、６１ｄに送られる。
【０１３６】
そして、利用側熱交換器５２ｃ、５２ｄにおいて放熱して液接続管６１ｃ、６１ｄに送られた冷媒は、液冷媒連絡管７に送られて合流する。
【０１３７】
そして、液冷媒連絡管７において合流した冷媒は、予冷熱交換器３５及び冷媒冷却器３６通じて液冷媒連絡管７に送られた小流量の冷媒とさらに合流した後に、２つに分岐されて、各接続ユニット４ａ、４ｂの液接続管６１ａ、６１ｂに送られる。そして、液接続管６１ａ、６１ｂに送られた冷媒は、利用ユニット３ａ、３ｂの利用側流量調節弁５１ａ、５１ｂに送られる。
【０１３８】
そして、利用側流量調節弁５１ａ、５１ｂに送られた冷媒は、利用側流量調節弁５１ａ、５１ｂにおいて流量調節された後、利用側熱交換器５２ａ、５２ｂにおいて、室内ファン５３ａ、５３ｂによって供給される室内空気と熱交換を行うことによって蒸発して低圧のガス冷媒となる。一方、室内空気は、冷却されて室内に供給されて、利用ユニット３ａ、３ｂの冷房運転が行われる。そして、低圧のガス冷媒は、接続ユニット４ａ、４ｂの合流ガス接続管６５ａ、６５ｂに送られる。
【０１３９】
そして、合流ガス接続管６５ａ、６５ｂに送られた低圧のガス冷媒は、低圧ガス開閉弁６７ａ、６７ｂ及び低圧ガス接続管６４ａ、６４ｂを通じて、低圧ガス冷媒連絡管９に送られて合流する。
【０１４０】
そして、低圧ガス冷媒連絡管９に送られた低圧のガス冷媒は、ガス側閉鎖弁３３を通じて、圧縮機２１の吸入側に戻される。
【０１４１】
このようにして、冷暖同時運転モード（蒸発・放熱負荷均衡、熱源側熱交換器に冷媒を流さない場合）における動作が行われる。そして、冷暖同時運転モード（蒸発・放熱負荷均衡、熱源側熱交換器に冷媒を流さない場合）では、上記のように、冷媒の放熱器として機能する利用側熱交換器５２ｃ、５２ｄから冷媒の蒸発器として機能する利用側熱交換器５２ａ、５２ｂに冷媒を送ることで利用側熱交換器５２ａ、５２ｂ、５２ｃ、５２ｄ間において熱回収が行われるようになっている。また、冷暖同時運転モード（蒸発・放熱負荷均衡、熱源側熱交換器に冷媒を流さない場合）では、上記のように、第１熱源側熱交換器２４及び第２熱源側熱交換器２５の両方に冷媒を流さない対応が行われるようになっている。さらに、冷暖同時運転モード（蒸発・放熱負荷均衡、熱源側熱交換器に冷媒を流さない場合）では、上記のように、冷媒冷却器３６に予冷熱交換器３５を通じて常時冷媒を流すことができる。これにより、冷暖同時運転モード（蒸発・放熱負荷均衡、熱源側熱交換器に冷媒を流さない場合）において、冷媒冷却器３６を流れる冷媒の流量を確保して電装品２０ａの冷却を行うことができるようになっている。
【０１４２】
（３）熱回収型冷凍装置（冷暖同時運転型空気調和装置）の特徴
冷暖同時運転型空気調和装置１には、以下のような特徴がある。
【０１４３】
＜Ａ＞
ここでは、上記のように、電装品２０ａを冷却する冷媒冷却器３６を設けるにあたり、熱源側熱交換器２４、２５、３５の一部を、圧縮機２１から吐出される高圧のガス冷媒を常時流す予冷熱交換器３５とし、予冷熱交換器３５の下流側に冷媒冷却器３６を接続するようにしている。このため、冷媒冷却器３６には、予冷熱交換器３５を通じて常時冷媒を流すことができる。具体的には、上記の冷房運転モード（蒸発負荷大）、冷房運転モード（蒸発負荷小）、暖房運転モード（放熱負荷大）、暖房運転モード（放熱負荷小）、冷暖同時運転モード（蒸発負荷主体）、冷暖同時運転モード（放熱負荷主体）、冷暖同時運転モード（蒸発・放熱負荷均衡、熱源側熱交換器に冷媒を流す場合）、及び、冷暖同時運転モード（蒸発・放熱負荷均衡、熱源側熱交換器に冷媒を流さない場合）のいずれにおいても、予冷熱交換器３５を通じて冷媒冷却器３６に常時冷媒を流すことができる。
【０１４４】
これにより、冷暖同時運転モード（蒸発負荷主体）、冷暖同時運転モード（放熱負荷主体）冷暖同時運転モード（蒸発・放熱負荷均衡、熱源側熱交換器に冷媒を流す場合）、及び、冷暖同時運転モード（蒸発・放熱負荷均衡、熱源側熱交換器に冷媒を流さない場合）のような利用側熱交換器間において熱回収が行われる際、すなわち、主熱源側熱交換器としての熱源側熱交換器２４、２５と利用側熱交換器５２ａ、５２ｂ、５２ｃ、５２ｄとの間を流れる冷媒の流量が減少する場合であっても、冷媒冷却器３５を流れる冷媒の流量を確保して電装品２０ａの冷却を行うことができる。特に、冷暖同時運転モード（蒸発・放熱負荷均衡、熱源側熱交換器に冷媒を流す場合）、及び、冷暖同時運転モード（蒸発・放熱負荷均衡、熱源側熱交換器に冷媒を流さない場合）では、主熱源側熱交換器としての熱源側熱交換器２４、２５と利用側熱交換器５２ａ、５２ｂ、５２ｃ、５２ｄとの間にほとんど冷媒が流れない状態になる場合があるが、このような場合であっても、冷媒冷却器３５を流れる冷媒の流量を確保して電装品２０ａの冷却を行うことができる。
【０１４５】
＜Ｂ＞
ここでは、上記のように、冷媒冷却器３６の下流側に冷媒冷却側流量調節機構としての冷媒冷却側流量調節弁３７を接続するようにしている。これにより、予冷熱交換器３５を流れる冷媒の流量、ひいては冷媒冷却器３６を流れる冷媒を適切な流量に調節することができる。
【０１４６】
＜Ｃ＞
ここでは、上記のように、予冷熱交換器３５及び冷媒冷却器３６を流れる冷媒の流量を調節する冷媒冷却側流量調節機構としての冷媒冷却側流量調節弁３７の出口を、主熱源側熱交換器としての熱源側熱交換器２４、２５が冷媒の放熱器として機能する際の熱源側流量調節機構としての熱源側流量調節弁２６、２７の下流側に接続するようにしている。これにより、熱源側流量調節弁２６、２７によって熱源側熱交換器２４、２５を流れる冷媒の流量を調節し、これとは別に、冷媒冷却側流量調節弁３７によって予冷熱交換器３５及び冷媒冷却器３６を流れる冷媒の流量を調節することができる。
【０１４７】
特に、ここでは、上記のように、主熱源側熱交換器が第１熱源側熱交換器２４と第２熱源側熱交換器２５とに分割されており、各熱源側熱交換器２４、２５に熱源側流量調節弁２６、２７が設けられている。このため、各熱源側熱交換器２４、２５を流れる冷媒の流量を個別に調節することができ、また、各熱源側熱交換器２４、２５を個別に冷媒の蒸発器又は放熱器として機能させる切り換えを可能にすることができる。しかも、ここでは、上記のように、予冷熱交換器３５及び冷媒冷却器３６を流れる冷媒の流量を調節する冷媒冷却側流量調節弁３７の出口を、２つの熱源側熱交換器２４、２５が冷媒の放熱器として機能する際の各熱源側流量調節弁２６、２７の下流側に接続するようにしている。これにより、各熱源側流量調節弁２６、２７によって２つの熱源側熱交換器２４、２５を流れる冷媒の流量を個別に調節し、これとは別に、冷媒冷却側流量調節弁３７によって予冷熱交換器３５及び冷媒冷却器３６を流れる冷媒の流量を調節することができる。
【０１４８】
＜Ｄ＞
ここでは、上記のように、予冷熱交換器３５が熱源側熱交換器２４、２５、３５の下部を構成している。例えば、上記のように、熱源側熱交換器が、水平方向に冷媒が流れる冷媒パスが上下方向に複数段並んだ構造を有している場合には、予冷熱交換器３５が、複数の冷媒パスのうち最下段の冷媒パスを構成している。これにより、熱源側熱交換器２４、２５、３５の下部に圧縮機２１から吐出される高圧のガス冷媒を常時流して、熱源側熱交換器２４、２５、３５の下部が凍結することを抑えることができる。
【０１４９】
（４）変形例
上記の実施形態では、本発明が適用される熱回収型冷凍装置として、冷暖同時運転型空気調和装置１の構成例に挙げて説明しているが、これに限定されるものではない。すなわち、圧縮機と、熱源側熱交換器と、複数の利用側熱交換器とを含んでおり、冷媒の放熱器として機能する利用側熱交換器から冷媒の蒸発器として機能する利用側熱交換器に冷媒を送ることで利用側熱交換器間において熱回収を行うことが可能な構成であれば、本発明を適用することが可能である。
【０１５０】
また、上記の実施形態では、熱源側熱交換器のうち予冷熱交換器３７を除いた部分である主熱源側熱交換器が２つの熱源側熱交換器２４、２５に分割された構造を採用しているが、分割構造でなくてもよい。この場合には、熱源側流量調節機構としての熱源側流量調節弁も１つでよいことになる。
【産業上の利用可能性】
【０１５１】
本発明は、圧縮機と、熱源側熱交換器と、複数の利用側熱交換器とを含んでおり、冷媒の放熱器として機能する利用側熱交換器から冷媒の蒸発器として機能する利用側熱交換器に冷媒を送ることで利用側熱交換器間において熱回収を行うことが可能な熱回収型冷凍装置に対して、広く適用可能である。
【符号の説明】
【０１５２】
１                              冷暖同時運転型空気調和装置（熱回収型冷凍装置）
２１                            圧縮機
２４                            第１熱源側熱交換器（主熱源側熱交換器）
２５                            第２熱源側熱交換器（主熱源側熱交換器）
２６                            第１熱源側流量調節弁（熱源側流量調節機構）
２７                            第２熱源側流量調節弁（熱源側流量調節機構）
３５                            予冷熱交換器
３６                            冷媒冷却器
３７                            冷媒冷却側流量調節弁（冷媒冷却側流量調節機構）
５２ａ、５２ｂ、５２ｃ、５２ｄ  利用側熱交換器
【先行技術文献】
【特許文献】
【０１５３】
【特許文献１】特開２０１０−２５３７４号公報
【図１】
2015075258.tif 000003
【図２】
2015075258.tif 000004
【図３】
2015075258.tif 000005
【図４】
2015075258.tif 000006
【図５】
2015075258.tif 000007
【図６】
2015075258.tif 000008
【図７】
2015075258.tif 000009
【図８】
2015075258.tif 000010
【図９】
2015075258.tif 000011
【図１０】
2015075258.tif 000012
【図１１】
2015075258.tif 000013
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
圧縮機（２１）と、熱源側熱交換器（２４、２５、３５）と、個別に冷媒の蒸発器又は放熱器として機能させる切り換えが可能な複数の利用側熱交換器（５２ａ、５２ｂ、５２ｃ、５２ｄ）とを含んでおり、前記冷媒の放熱器として機能する利用側熱交換器から前記冷媒の蒸発器として機能する利用側熱交換器に冷媒を送ることで前記利用側熱交換器間において熱回収を行うことが可能な熱回収型冷凍装置において、
前記熱源側熱交換器の一部（３５）を、前記圧縮機から吐出される高圧のガス冷媒を常時流す予冷熱交換器とし、
前記予冷熱交換器の下流側に、電装品を冷却する冷媒冷却器（３６）を接続しており、
前記冷媒冷却器の下流側に、前記予冷熱交換器を流れる冷媒の流量を調節する冷媒冷却側流量調節機構（３７）を接続している、
熱回収型冷凍装置（１）。
【請求項２】
前記熱源側熱交換器のうち前記予冷熱交換器（３５）を除いた部分である主熱源側熱交換器（２４、２５）の液側に、前記主熱源側熱交換器を流れる冷媒の流量を調節する熱源側流量調節機構（２６、２７）を接続しており、
前記主熱源側熱交換器を冷媒の放熱器として機能させる際の前記熱源側流量調節機構の下流側に、前記冷媒冷却側流量調節機構（３７）の出口を接続している、
請求項１に記載の熱回収型冷凍装置（１）。
【請求項３】
前記主熱源側熱交換器は、第１熱源側熱交換器（２４）と第２熱源側熱交換器（２５）とを有しており、
前記熱源側流量調節機構は、前記第１熱源側熱交換器を流れる冷媒の流量を調節する第１熱源側流量調節機構（２６）と、前記第２熱源側熱交換器を流れる冷媒の流量を調節する第２熱源側流量調節機構（２７）とを有しており、
前記第１熱源側熱交換器を冷媒の放熱器として機能させる際の前記第１熱源側流量調節機構の下流側に、かつ、前記第２熱源側熱交換器を冷媒の放熱器として機能させる際の前記第２熱源側流量調節機構の下流側に、前記冷媒冷却側流量調節機構（３７）の出口を接続している、
請求項２に記載の熱回収型冷凍装置（１）。
【請求項４】
前記予冷熱交換器（３５）は、前記熱源側熱交換器の下部を構成している、
請求項１〜３のいずれか１項に記載の熱回収型冷凍装置（１）。
【請求項５】
前記熱源側熱交換器（２４、２５、３５）は、水平方向に冷媒が流れる冷媒パスが上下方向に複数段並んだ構造を有しており、
前記予冷熱交換器（３５）は、前記複数の冷媒パスのうち最下段の冷媒パスを構成している、
請求項４に記載の熱回収型冷凍装置（１）。
【手続補正２】
【補正対象書類名】明細書
【補正対象項目名】全文
【補正方法】変更
【補正の内容】
【発明の詳細な説明】
【技術分野】
【０００１】
本発明は、熱回収型冷凍装置、特に、圧縮機と、熱源側熱交換器と、複数の利用側熱交換器とを含んでおり、冷媒の放熱器として機能する利用側熱交換器から冷媒の蒸発器として機能する利用側熱交換器に冷媒を送ることで利用側熱交換器間において熱回収を行うことが可能な熱回収型冷凍装置に関する。
【背景技術】
【０００２】
従来より、特許文献１（特開２０１０−２５３７４号公報）に示すように、熱源側熱交換器と利用側熱交換器との間を流れる冷媒によって、圧縮機等の構成機器を制御するパワー素子等の電装品を冷却する冷媒冷却器を設けた冷凍装置がある。この冷凍装置では、冷媒冷却器を流れる冷媒の流量、すなわち、熱源側熱交換器と利用側熱交換器との間を流れる冷媒の流量に応じて電装品の冷却の程度が決まる。
【発明の概要】
【発明が解決しようとする課題】
【０００３】
ところで、従来より、冷凍装置として、圧縮機と、熱源側熱交換器と、複数の利用側熱交換器とを含んだ構成の熱回収型冷凍装置がある。この熱回収型冷凍装置は、各利用側熱交換器が個別に冷媒の蒸発器又は放熱器として機能させる切り換えが可能になっており、冷媒の放熱器として機能する利用側熱交換器から冷媒の蒸発器として機能する利用側熱交換器に冷媒を送ることで利用側熱交換器間において熱回収（例えば、冷房運転と暖房運転とを同時に行う冷暖同時運転）を行うようになっている。そして、熱回収型冷凍装置では、上記の熱回収を考慮した複数の利用側熱交換器全体の熱負荷（蒸発負荷や放熱負荷）に応じて、熱源側熱交換器を冷媒の蒸発器や放熱器として機能させるようになっている。
【０００４】
ここで、このような熱回収型冷凍装置に対して、上記従来の冷媒冷却器を適用して、電装品を冷却することが考えられる。
【０００５】
しかし、冷媒冷却器を熱回収型冷凍装置に適用すると、上記のように、利用側熱交換器間において熱回収が行われる際に、熱源側熱交換器と利用側熱交換器との間を流れる冷媒の流量が減少し、これに伴い、冷媒冷却器を流れる冷媒の流量も減少するため、電装品の冷却が不十分になるおそれがある。
【０００６】
本発明の課題は、利用側熱交換器間で熱回収を行うことが可能な熱回収型冷凍装置において、電装品の冷却を行う冷媒冷却器を設けるにあたり、利用側熱交換器間において熱回収が行われる際であっても、冷媒冷却器を流れる冷媒の流量を確保して電装品の冷却を行うことができるようにすることにある。
【課題を解決するための手段】
【０００７】
第１の観点にかかる熱回収型冷凍装置は、圧縮機と、熱源側熱交換器と、個別に冷媒の蒸発器又は放熱器として機能させる切り換えが可能な複数の利用側熱交換器とを含んでおり、冷媒の放熱器として機能する利用側熱交換器から冷媒の蒸発器として機能する利用側熱交換器に冷媒を送ることで利用側熱交換器間において熱回収を行うことが可能である。そして、ここでは、熱源側熱交換器の一部を、圧縮機から吐出される高圧のガス冷媒を常時流す予冷熱交換器とし、予冷熱交換器の下流側に、電装品を冷却する冷媒冷却器を接続している。
【０００８】
ここでは、上記のように、電装品を冷却する冷媒冷却器を設けるにあたり、熱源側熱交換器の一部を、圧縮機から吐出される高圧のガス冷媒を常時流す予冷熱交換器とし、予冷熱交換器の下流側に冷媒冷却器を接続するようにしている。このため、冷媒冷却器には、予冷熱交換器を通じて常時冷媒を流すことができる。これにより、利用側熱交換器間において熱回収が行われる際、すなわち、熱源側熱交換器と利用側熱交換器との間を流れる冷媒の流量が減少する場合であっても、冷媒冷却器を流れる冷媒の流量を確保して電装品の冷却を行うことができる。
【０００９】
しかも、ここでは、冷媒冷却器の下流側に、予冷熱交換器を流れる冷媒の流量を調節する冷媒冷却側流量調節機構を接続している。
【００１０】
ここでは、上記のように、冷媒冷却器の下流側に冷媒冷却側流量調節機構を接続するようにしている。これにより、予冷熱交換器を流れる冷媒の流量、ひいては冷媒冷却器を流れる冷媒を適切な流量に調節することができる。
【００１１】
第２の観点にかかる熱回収型冷凍装置は、第１の観点にかかる熱回収型冷凍装置において、熱源側熱交換器のうち予冷熱交換器を除いた部分である主熱源側熱交換器の液側に、主熱源側熱交換器を流れる冷媒の流量を調節する熱源側流量調節機構を接続しており、主熱源側熱交換器を冷媒の放熱器として機能させる際の熱源側流量調節機構の下流側に、冷媒冷却側流量調節機構の出口を接続している。
【００１２】
ここでは、上記のように、予冷熱交換器及び冷媒冷却器を流れる冷媒の流量を調節する冷媒冷却側流量調節機構の出口を、主熱源側熱交換器が冷媒の放熱器として機能する際の熱源側流量調節機構の下流側に接続するようにしている。これにより、熱源側流量調節機構によって主熱源側熱交換器を流れる冷媒の流量を調節し、これとは別に、冷媒冷却側流量調節機構によって予冷熱交換器及び冷媒冷却器を流れる冷媒の流量を調節することができる。
【００１３】
第３の観点にかかる熱回収型冷凍装置は、第２の観点にかかる熱回収型冷凍装置において、主熱源側熱交換器が、第１熱源側熱交換器と第２熱源側熱交換器とを有し、熱源側流量調節機構が、第１熱源側熱交換器を流れる冷媒の流量を調節する第１熱源側流量調節機構と、第２熱源側熱交換器を流れる冷媒の流量を調節する第２熱源側流量調節機構とを有している。そして、第１熱源側熱交換器を冷媒の放熱器として機能させる際の第１熱源側流量調節機構の下流側に、かつ、第２熱源側熱交換器を冷媒の放熱器として機能させる際の第２熱源側流量調節機構の下流側に、冷媒冷却側流量調節機構の出口を接続している。
【００１４】
ここでは、上記のように、まず、主熱源側熱交換器が第１熱源側熱交換器と第２熱源側熱交換器とに分割されており、各熱源側熱交換器に熱源側流量調節機構が設けられている。このため、各熱源側熱交換器を流れる冷媒の流量を個別に調節することができ、また、各熱源側熱交換器を個別に冷媒の蒸発器又は放熱器として機能させる切り換えを可能にすることができる。しかも、ここでは、上記のように、予冷熱交換器及び冷媒冷却器を流れる冷媒の流量を調節する冷媒冷却側流量調節機構の出口を、２つの熱源側熱交換器が冷媒の放熱器として機能する際の各熱源側流量調節機構の下流側に接続するようにしている。これにより、各熱源側流量調節機構によって２つの熱源側熱交換器を流れる冷媒の流量を個別に調節し、これとは別に、冷媒冷却側流量調節機構によって予冷熱交換器及び冷媒冷却器を流れる冷媒の流量を調節することができる。
【００１５】
第４の観点にかかる熱回収型冷凍装置は、第１〜第３の観点のいずれかにかかる熱回収型冷凍装置において、予冷熱交換器が熱源側熱交換器の下部を構成している。
【００１６】
第５の観点にかかる熱回収型冷凍装置は、第４の観点にかかる熱回収型冷凍装置において、熱源側熱交換器が、水平方向に冷媒が流れる冷媒パスが上下方向に複数段並んだ構造を有しており、予冷熱交換器が、複数の冷媒パスのうち最下段の冷媒パスを構成している。
【００１７】
ここでは、上記のように、予冷熱交換器が熱源側熱交換器の下部を構成している。例えば、熱源側熱交換器が、水平方向に冷媒が流れる冷媒パスが上下方向に複数段並んだ構造を有している場合には、予冷熱交換器が、複数の冷媒パスのうち最下段の冷媒パスを構成している。これにより、熱源側熱交換器の下部に圧縮機から吐出される高圧のガス冷媒を常時流して、熱源側熱交換器の下部が凍結することを抑えることができる。
【発明の効果】
【００１８】
以上の説明に述べたように、本発明によれば、以下の効果が得られる。
【００１９】
第１の観点にかかる熱回収型冷凍装置では、利用側熱交換器間において熱回収が行われる際であっても、冷媒冷却器を流れる冷媒の流量を確保して電装品の冷却を行うことができる。しかも、予冷熱交換器を流れる冷媒の流量、ひいては冷媒冷却器を流れる冷媒を適切な流量に調節することができる。
【００２０】
第２の観点にかかる熱回収型冷凍装置では、熱源側流量調節機構によって主熱源側熱交換器を流れる冷媒の流量を調節し、これとは別に、冷媒冷却側流量調節機構によって予冷熱交換器及び冷媒冷却器を流れる冷媒の流量を調節することができる。
【００２１】
第３の観点にかかる熱回収型冷凍装置では、各熱源側流量調節機構によって２つの熱源側熱交換器を流れる冷媒の流量を個別に調節し、これとは別に、冷媒冷却側流量調節機構によって予冷熱交換器及び冷媒冷却器を流れる冷媒の流量を調節することができる。
【００２２】
第４及び第５の観点にかかる熱回収型冷凍装置では、熱源側熱交換器の下部に圧縮機から吐出される高圧のガス冷媒を常時流して、熱源側熱交換器の下部が凍結することを抑えることができる。
【図面の簡単な説明】
【００２３】
【図１】本発明にかかる熱回収型冷凍装置の一実施形態としての冷暖同時運転型空気調和装置の概略構成図である。
【図２】冷暖同時運転型空気調和装置を構成する熱源ユニットの概略の内部構造を示す図である。
【図３】熱源側熱交換器の構造を模式的に示す図である。
【図４】冷暖同時運転型空気調和装置の冷房運転モード（蒸発負荷大）における動作（冷媒の流れ）を示す図である。
【図５】冷暖同時運転型空気調和装置の冷房運転モード（蒸発負荷小）における動作（冷媒の流れ）を示す図である。
【図６】冷暖同時運転型空気調和装置の暖房運転モード（放熱負荷大）における動作（冷媒の流れ）を示す図である。
【図７】冷暖同時運転型空気調和装置の暖房運転モード（放熱負荷小）における動作（冷媒の流れ）を示す図である。
【図８】冷暖同時運転型空気調和装置の冷暖同時運転モード（蒸発負荷主体）における動作（冷媒の流れ）を示す図である。
【図９】冷暖同時運転型空気調和装置の冷暖同時運転モード（放熱負荷主体）における動作（冷媒の流れ）を示す図である。
【図１０】冷暖同時運転型空気調和装置の冷暖同時運転モード（蒸発・放熱負荷均衡、熱源側熱交換器に冷媒を流す場合）における動作（冷媒の流れ）を示す図である。
【図１１】冷暖同時運転型空気調和装置の冷暖同時運転モード（蒸発・放熱負荷均衡、熱源側熱交換器に冷媒を流さない場合）における動作（冷媒の流れ）を示す図である。
【発明を実施するための形態】
【００２４】
以下、本発明にかかる熱回収型冷凍装置の実施形態について、図面に基づいて説明する。尚、本発明にかかる熱回収型冷凍装置の具体的な構成は、下記の実施形態及びその変形例に限られるものではなく、発明の要旨を逸脱しない範囲で変更可能である。
【００２５】
（１）熱回収型冷凍装置（冷暖同時運転型空気調和装置）の構成
図１は、本発明にかかる熱回収型冷凍装置の一実施形態としての冷暖同時運転型空気調和装置１の概略構成図である。図２は、冷暖同時運転型空気調和装置１を構成する熱源ユニット２の概略の内部構造を示す図である。図３は、熱源側熱交換器２４、２５、３５の構造を模式的に示す図である。冷暖同時運転型空気調和装置１は、蒸気圧縮式の冷凍サイクル運転を行うことによって、ビル等の室内の冷暖房に使用される装置である。
【００２６】
冷暖同時運転型空気調和装置１は、主として、１台の熱源ユニット２と、複数（ここでは、４台）の利用ユニット３ａ、３ｂ、３ｃ、３ｄと、各利用ユニット３ａ、３ｂ、３ｃ、３ｄに接続される接続ユニット４ａ、４ｂ、４ｃ、４ｄと、接続ユニット４ａ、４ｂ、４ｃ、４ｄを介して熱源ユニット２と利用ユニット３ａ、３ｂ、３ｃ、３ｄとを接続する冷媒連絡管７、８、９とを有している。すなわち、冷暖同時運転型空気調和装置１の蒸気圧縮式の冷媒回路１０は、熱源ユニット２と、利用ユニット３ａ、３ｂ、３ｃ、３ｄと、接続ユニット４ａ、４ｂ、４ｃ、４ｄと、冷媒連絡管７、８、９とが接続されることによって構成されている。そして、冷暖同時運転型空気調和装置１は、各利用ユニット３ａ、３ｂ、３ｃ、３ｄが個別に冷房運転又は暖房運転を行うことが可能になっており、暖房運転を行う利用ユニットから冷房運転を行う利用ユニットに冷媒を送ることで利用ユニット間において熱回収を行うこと（ここでは、冷房運転と暖房運転とを同時に行う冷暖同時運転を行うこと）が可能になるように構成されている。しかも、冷暖同時運転型空気調和装置１では、上記の熱回収（冷暖同時運転）も考慮した複数の利用ユニット３ａ、３ｂ、３ｃ、３ｄ全体の熱負荷に応じて、熱源ユニット２の熱負荷をバランスさせるように構成されている。
【００２７】
＜利用ユニット＞
利用ユニット３ａ、３ｂ、３ｃ、３ｄは、ビル等の室内の天井に埋め込みや吊り下げ等、又は、室内の壁面に壁掛け等により設置されている。利用ユニット３ａ、３ｂ、３ｃ、３ｄは、冷媒連絡管７、８、９及び接続ユニット４ａ、４ｂ、４ｃ、４ｄを介して熱源ユニット２に接続されており、冷媒回路１０の一部を構成している。
【００２８】
次に、利用ユニット３ａ、３ｂ、３ｃ、３ｄの構成について説明する。尚、利用ユニット３ａと利用ユニット３ｂ、３ｃ、３ｄとは同様の構成であるため、ここでは、利用ユニット３ａの構成のみ説明し、利用ユニット３ｂ、３ｃ、３ｄの構成については、それぞれ、利用ユニット３ａの各部を示す符号の添字「ａ」の代わりに、「ｂ」、「ｃ」又は「ｄ」の添字を付して、各部の説明を省略する。
【００２９】
利用ユニット３ａは、主として、冷媒回路１０の一部を構成しており、利用側冷媒回路１３ａ（利用ユニット３ｂ、３ｃ、３ｄでは、それぞれ、利用側冷媒回路１３ｂ、１３ｃ、１３ｄ）を有している。利用側冷媒回路１３ａは、主として、利用側流量調節弁５１ａと、利用側熱交換器５２ａとを有している。
【００３０】
利用側流量調節弁５１ａは、利用側熱交換器５２ａを流れる冷媒の流量の調節等を行うために、利用側熱交換器５２ａの液側に接続された開度調節が可能な電動膨張弁である。
【００３１】
利用側熱交換器５２ａは、冷媒と室内空気との熱交換を行うための機器であり、例えば、多数の伝熱管及びフィンによって構成されたフィン・アンド・チューブ型熱交換器からなる。ここで、利用ユニット３ａは、ユニット内に室内空気を吸入して、熱交換した後に、供給空気として屋内に供給するための室内ファン５３ａを有しており、室内空気と利用側熱交換器３２ａを流れる冷媒とを熱交換させることが可能である。室内ファン５３ａは、室内ファンモータ５４ａによって駆動される。
【００３２】
また、利用ユニット３ａは、利用ユニット３ａを構成する各部５１ａ、５４ａの動作を制御する利用側制御部５０ａを有している。そして、利用側制御部５０ａは、利用ユニット３ａの制御を行うために設けられたマイクロコンピュータやメモリを有しており、リモコン（図示せず）との間で制御信号等のやりとりを行ったり、熱源ユニット２との間で制御信号等のやりとりを行うことができるようになっている。
【００３３】
＜熱源ユニット＞
熱源ユニット２は、ビル等の屋上等に設置されており、冷媒連絡管７、８、９を介して利用ユニット３ａ、３ｂ、３ｃ、３ｄに接続されており、利用ユニット３ａ、３ｂ、３ｃ、３ｄとの間で冷媒回路１０を構成している。
【００３４】
次に、熱源ユニット２の構成について説明する。熱源ユニット２は、主として、冷媒回路１０の一部を構成しており、熱源側冷媒回路１２を有している。熱源側冷媒回路１２は、主として、圧縮機２１と、複数（ここでは、２つ）の熱交切換機構２２、２３と、主熱源側熱交換器としての２つの熱源側熱交換器２４、２５と予冷熱交換器３５とからなる熱源側熱交換器と、冷媒冷却器３６と、２つの熱源側熱交換器２４、２５に対応する熱源側流量調節機構としての熱源側流量調節弁２６、２７と、予冷熱交換器３５及び冷媒冷却器３６に対応する冷媒冷却側流量調節機構としての冷媒冷却側流量調節弁３７と、レシーバ２８と、ブリッジ回路２９と、高低圧切換機構３０と、液側閉鎖弁３１と、高低圧ガス側閉鎖弁３２と、低圧ガス側閉鎖弁３３とを有している。
【００３５】
圧縮機２１は、ここでは、冷媒を圧縮するための機器であり、例えば、圧縮機モータ２１ａをインバータ制御することで運転容量を可変することが可能なスクロール型等の容積式圧縮機からなる。
【００３６】
第１熱交切換機構２２は、主熱源側熱交換器としての第１熱源側熱交換器２４を冷媒の放熱器として機能させる場合（以下、「放熱運転状態」とする）には圧縮機２１の吐出側と第１熱源側熱交換器２４のガス側とを接続し（図１の第１熱交切換機構２２の実線を参照）、第１熱源側熱交換器２４を冷媒の蒸発器として機能させる場合（以下、「蒸発運転状態」とする）には圧縮機２１の吸入側と第１熱源側熱交換器２４のガス側とを接続するように（図１の第１熱交切換機構２２の破線を参照）、熱源側冷媒回路１２内における冷媒の流路を切り換えることが可能な機器であり、例えば、四路切換弁からなる。また、第２熱交切換機構２３は、主熱源側熱交換器としての第２熱源側熱交換器２５を冷媒の放熱器として機能させる場合（以下、「放熱運転状態」とする）には圧縮機２１の吐出側と第２熱源側熱交換器２５のガス側とを接続し（図１の第２熱交切換機構２３の実線を参照）、第２熱源側熱交換器２５を冷媒の蒸発器として機能させる場合（以下、「蒸発運転状態」とする）には圧縮機２１の吸入側と第２熱源側熱交換器２５のガス側とを接続するように（図１の第２熱交切換機構２３の破線を参照）、熱源側冷媒回路１２内における冷媒の流路を切り換えることが可能な機器であり、例えば、四路切換弁からなる。そして、第１熱交切換機構２２及び第２熱交切換機構２３の切り換え状態を変更することによって、第１熱源側熱交換器２４及び第２熱源側熱交換器２５は、個別に冷媒の蒸発器又は放熱器として機能させる切り換えが可能になっている。
【００３７】
主熱源側熱交換器としての第１熱源側熱交換器２４は、冷媒と室外空気との熱交換を行うための機器であり、例えば、多数の伝熱管及びフィンによって構成されたフィン・アンド・チューブ型熱交換器からなる。第１熱源側熱交換器２４は、そのガス側が第１熱交切換機構２２に接続され、その液側が第１熱源側流量調節弁２６に接続されている。具体的には、第１熱源側熱交換器２４のガス側は、第１熱源側熱交換器２４を構成する複数の伝熱管との間で冷媒の合流及び分岐を行うための第１ヘッダ２４ａが設けられており、第１ヘッダ２４ａが第１熱交切換機構２２に接続されている。第１熱源側熱交換器２４の液側は、第１熱源側熱交換器２４を構成する複数の伝熱管との間で冷媒の合流及び分岐を行うための第１分流器２４ｂが設けられており、第１分流器２４ｂが第１熱源側流量調節弁２６に接続されている。また、主熱源側熱交換器としての第２熱源側熱交換器２５は、冷媒と室外空気との熱交換を行うための機器であり、例えば、多数の伝熱管及びフィンによって構成されたフィン・アンド・チューブ型熱交換器からなる。第２熱源側熱交換器２５は、そのガス側が第２熱交切換機構２３に接続され、その液側が第２熱源側流量調節弁２７に接続されている。具体的には、第２熱源側熱交換器２５のガス側は、第２熱源側熱交換器２５を構成する複数の伝熱管との間で冷媒の合流及び分岐を行うための第２ヘッダ２５ａが設けられており、第２ヘッダ２５ａが第２熱交切換機構２３に接続されている。第２熱源側熱交換器２５の液側は、第２熱源側熱交換器２５を構成する複数の伝熱管との間で冷媒の合流及び分岐を行うための第２分流器２５ｂが設けられており、第２分流器２５ｂが第２熱源側流量調節弁２７に接続されている。
【００３８】
予冷熱交換器３５は、冷媒と室外空気との熱交換を行うための機器であり、例えば、多数の伝熱管及びフィンによって構成されたフィン・アンド・チューブ型熱交換器からなる。予冷熱交換器３５は、熱源側熱交換器の一部（すなわち、熱源側熱交換器のうち主熱源側熱交換器としての熱源側熱交換器２４、２５を除いた部分）を構成しており、圧縮機２１から吐出される高圧のガス冷媒を常時流すように熱源側冷媒回路１２に設けられている。具体的には、予冷熱交換器３５は、主熱源側熱交換器としての熱源側熱交換器２４、２５とは異なり、熱交切換機構２２、２３のような冷媒の蒸発器又は放熱器として機能させる切り換えを可能にするための機構を介することなく、そのガス側が圧縮機２１の吐出側に接続されている。すなわち、予冷熱交換器３５は、主熱源側熱交換器としての熱源側熱交換器２４、２５とは異なり、常時冷媒の放熱器として機能するようになっている。
【００３９】
ここで、予冷熱交換器３５は、主熱源側熱交換器としての２つの熱源側熱交換器２４、２５と予冷熱交換器３５とからなる熱源側熱交換器の下部を構成している。具体的には、主熱源側熱交換器としての熱源側熱交換器２４、２５の下側に予冷熱交換器３７が配置されている。また、第２熱源側熱交換器２５の上側に第１熱源側熱交換器２４が配置されている。すなわち、第１熱源側熱交換器２４、第２熱源側熱交換器２５及び予冷熱交換器３５を一体の熱源側熱交換器として構成している。ここでは、熱源側熱交換器２４、２５、３５として、水平方向に冷媒が流れる冷媒パスが上下方向に複数段並んだ構造を有するものを採用している。そして、複数の冷媒パスのうち熱源側熱交換器２４、２５、３５の上部の冷媒パスを構成する伝熱管を第１ヘッダ２４ａ及び第１分流器２４ｂに接続することで第１熱源側熱交換器２４として機能させ、中間部の冷媒パスを構成する伝熱管を第２ヘッダ２５ａ及び第２分流器２５ｂに接続することで第２熱源側熱交換器２５として機能させ、最下段の冷媒パスを構成する伝熱管を予冷熱交換器３５として機能させるようにしている。
【００４０】
そして、熱源ユニット２は、ユニット内に室外空気を吸入して、熱交換した後に、ユニット外に排出するための室外ファン３４を有しており、室外空気と熱源側熱交換器２４、２５、３５を流れる冷媒とを熱交換させることが可能である。室外ファン３４は、室外ファンモータ３４ａによって駆動される。ここで、熱源ユニット２の側面には、室外空気を吸入するための吸入口２ａが形成されており、熱源ユニット２の天面には、室外空気を排出するための排出口２ｂが形成されており、室外ファン３４は、熱源ユニット２の上部に配置されている。
【００４１】
冷媒冷却器３５は、予冷熱交換器３５において放熱した冷媒と電装品２０ａとの熱交換を行うことで電装品２０ａを冷却する機器であり、予冷熱交換器３５の液側、すなわち、予冷熱交換器３５の下流側に接続されている。冷媒冷却器３６は、例えば、冷媒流路が形成された金属製の部材を電装品２０ａに接触させることによって構成されている。ここで、電装品２０ａは、熱源ユニット２を構成する各部を制御するための電気部品であり、後述の熱源側制御部２０を構成している。そして、冷媒冷却器３６によって冷却が必要な電装品２０ａとしては、圧縮機モータ２１ａを制御するためのインバータを構成するパワー素子やリアクタ等の高発熱電気部品が挙げられる。このような高発熱電気部品は、圧縮機２１の運転容量が大きくなるにつれて、発熱量が大きくなる傾向にある。尚、図１において、電装品２０ａを熱源側制御部２０とは別に図示しているが、これは、冷媒冷却器３６の機能を説明するための便宜を考慮したものである。
【００４２】
熱源側流量調節機構としての第１熱源側流量調節弁２６は、第１熱源側熱交換器２４を流れる冷媒の流量の調節等を行うために、第１熱源側熱交換器２４の液側に接続された開度調節が可能な電動膨張弁である。また、熱源側流量調節機構としての第２熱源側流量調節弁２７は、第２熱源側熱交換器２５を流れる冷媒の流量の調節等を行うために、第２熱源側熱交換器２５の液側に接続された開度調節が可能な電動膨張弁である。すなわち、熱源側熱交換器２４、２５、３５のうち予冷熱交換器３５を除いた部分である主熱源側熱交換器としての熱源側熱交換器２４、２５の液側に、各熱源側熱交換器２４、２５を流れる冷媒の流量を調節する熱源側流量調節弁２６、２７が接続されている。
【００４３】
冷媒冷却側流量調節機構としての冷媒冷却側流量調節弁３７は、予冷熱交換器３５及び冷媒冷却器３６を流れる冷媒の流量の調節等を行うために、冷媒冷却器３６の下流側に接続された開度調節が可能な電動膨張弁である。そして、主熱源側熱交換器としての熱源側熱交換器２４、２５を冷媒の放熱器として機能させる際の熱源側流量調節弁２６、２７の下流側に、すなわち、第１熱源側熱交換器２４を冷媒の放熱器として機能させる際の第１熱源側流量調節弁２６の下流側に、かつ、第２熱源側熱交換器２５を冷媒の放熱器として機能させる際の第２熱源側流量調節弁２７の下流側に、冷媒冷却側流量調節弁３７の出口が接続されている。ここでは、冷媒冷却側流量調節弁３７の出口は、レシーバ２８の出口管２８ｂに合流するように接続されている。
【００４４】
レシーバ２８は、熱源側熱交換器２４、２５と利用側冷媒回路１３ａ、１３ｂ、１３ｃ、１３ｄとの間を流れる冷媒を一時的に溜めるための容器である。レシーバ２８の上部には、レシーバ入口管２８ａが設けられており、レシーバ２８の下部には、レシーバ出口管２８ｂが設けられている。また、レシーバ入口管２８ａには、開閉制御が可能なレシーバ入口開閉弁２８ｃが設けられている。そして、レシーバ２８の入口管２８ａ及び出口管２８ｂは、ブリッジ回路２９を介して、熱源側熱交換器２４、２５と液側閉鎖弁３１との間に接続されている。
【００４５】
ブリッジ回路２９は、冷媒が熱源側熱交換器２４、２５側から液側閉鎖弁３１側に向かって流れる場合、及び、冷媒が液側閉鎖弁３１側から熱源側熱交換器２４、２５側に向かって流れる場合のいずれにおいても、レシーバ入口管２８ａを通じてレシーバ２８内に冷媒を流入させ、レシーバ出口管２８ｂを通じてレシーバ２８内から冷媒を流出させる機能を有する回路である。ブリッジ回路２９は、４つの逆止弁２９ａ、２９ｂ、２９ｃ、２９ｄを有している。そして、入口逆止弁２９ａは、熱源側熱交換器２４、２５側からレシーバ入口管２８ａへの冷媒の流通のみを許容する逆止弁である。入口逆止弁２９ｂは、液側閉鎖弁３１側からレシーバ入口管２８ａへの冷媒の流通のみを許容する逆止弁である。すなわち、入口逆止弁２９ａ、２９ｂは、熱源側熱交換器２４、２５側又は液側閉鎖弁３１側からレシーバ入口管２８ａに冷媒を流通させる機能を有している。出口逆止弁２９ｃは、レシーバ出口管２８ｂから液側閉鎖弁３１側への冷媒の流通のみを許容する逆止弁である。出口逆止弁２９ｄは、レシーバ出口管２８ｂから熱源側熱交換器２４、２５側への冷媒の流通のみを許容する逆止弁である。すなわち、出口逆止弁２９ｃ、２９ｄは、レシーバ出口管２８ｂから熱源側熱交換器２４、２５側又は液側閉鎖弁３１側に冷媒を流通させる機能を有している。
【００４６】
高低圧切換機構３０は、圧縮機２１から吐出された高圧のガス冷媒を利用側冷媒回路１３ａ、１３ｂ、１３ｃ、１３ｄに送る場合（以下、「放熱負荷主体運転状態」とする）には、圧縮機２１の吐出側と高低圧ガス側閉鎖弁３２とを接続し（図１の高低圧切換機構３０の破線を参照）、圧縮機２１から吐出された高圧のガス冷媒を利用側冷媒回路１３ａ、１３ｂ、１３ｃ、１３ｄに送らない場合（以下、「蒸発負荷主体運転状態」とする）には、高低圧ガス側閉鎖弁３２と圧縮機２１の吸入側とを接続するように（図１の高低圧切換機構３０の実線を参照）、熱源側冷媒回路１２内における冷媒の流路を切り換えることが可能な機器であり、例えば、四路切換弁からなる。
【００４７】
液側閉鎖弁３１、高低圧ガス側閉鎖弁３２及び低圧ガス側閉鎖弁３３は、外部の機器・配管（具体的には、冷媒連絡管７、８及び９）との接続口に設けられた弁である。液側閉鎖弁３１は、ブリッジ回路２９を介してレシーバ入口管２８ａ又はレシーバ出口管２８ｂに接続されている。高低圧ガス側閉鎖弁３２は、高低圧切換機構３０に接続されている。低圧ガス側閉鎖弁３３は、圧縮機２１の吸入側に接続されている。
【００４８】
また、熱源ユニット２は、熱源ユニット２を構成する各部２１ａ、２２、２３、２６、２７、２８ｃ、３０、３４ａ、３７の動作を制御する熱源側制御部２０を有している。そして、熱源側制御部２０は、熱源ユニット２の制御を行うために設けられたマイクロコンピュータやメモリ、インバータ等を有しており、利用ユニット３ａ、３ｂ、３ｃ、３ｄの利用側制御部５０ａ、５０ｂ、５０ｃ、５０ｄとの間で制御信号等のやりとりを行うことができるようになっている。
【００４９】
＜接続ユニット＞
接続ユニット４ａ、４ｂ、４ｃ、４ｄは、ビル等の室内に利用ユニット３ａ、３ｂ、３ｃ、３ｄとともに設置されている。接続ユニット４ａ、４ｂ、４ｃ、４ｄは、冷媒連絡管９、１０、１１とともに、利用ユニット３、４、５と熱源ユニット２との間に介在しており、冷媒回路１０の一部を構成している。
【００５０】
次に、接続ユニット４ａ、４ｂ、４ｃ、４ｄの構成について説明する。尚、接続ユニット４ａと接続ユニット４ｂ、４ｃ、４ｄとは同様の構成であるため、ここでは、接続ユニット４ａの構成のみ説明し、接続ユニット４ｂ、４ｃ、４ｄの構成については、それぞれ、接続ユニット４ａの各部を示す符号の添字「ａ」の代わりに、「ｂ」、「ｃ」又は「ｄ」の添字を付して、各部の説明を省略する。
【００５１】
接続ユニット４ａは、主として、冷媒回路１０の一部を構成しており、接続側冷媒回路１４ａ（接続ユニット４ｂ、４ｃ、４ｄでは、それぞれ、接続側冷媒回路１４ｂ、１４ｃ、１４ｄ）を有している。接続側冷媒回路１４ａは、主として、液接続管６１ａと、ガス接続管６２ａとを有している。
【００５２】
液接続管６１ａは、液冷媒連絡管７と利用側冷媒回路１３ａの利用側流量調節弁５１ａとを接続している。
【００５３】
ガス接続管６２ａは、高低圧ガス冷媒連絡管８に接続された高圧ガス接続管６３ａと、低圧ガス冷媒連絡管９に接続された低圧ガス接続管６４ａと、高圧ガス接続管６３ａと低圧ガス接続管６４ａとを合流させる合流ガス接続管６５ａとを有している。合流ガス接続管６５ａは、利用側冷媒回路１３ａの利用側熱交換器５２ａのガス側に接続されている。高圧ガス接続管６３ａには、開閉制御が可能な高圧ガス開閉弁６６ａが設けられており、低圧ガス接続管６４ａには、開閉制御が可能な低圧ガス開閉弁６７ａが設けられている。
【００５４】
そして、接続ユニット４ａは、利用ユニット３ａが冷房運転を行う際には、低圧ガス開閉弁６７ａを開けた状態にして、液冷媒連絡管７を通じて液接続管６１ａに流入する冷媒を利用側冷媒回路１３ａの利用側流量調節弁５１ａを通じて利用側熱交換器５２ａに送り、利用側熱交換器５２ａにおいて室内空気との熱交換によって蒸発した冷媒を、合流ガス接続管６５ａ及び低圧ガス接続管６４ａを通じて、低圧ガス冷媒連絡管９に戻すように機能することができる。また、接続ユニット４ａは、利用ユニット３ａが暖房運転を行う際には、低圧ガス開閉弁６７ａを閉止し、かつ、高圧ガス開閉弁６６ａを開けた状態にして、高低圧ガス冷媒連絡管８を通じて高圧ガス接続管６３ａ及び合流ガス接続管６５ａに流入する冷媒を利用側冷媒回路１３ａの利用側熱交換器５２ａに送り、利用側熱交換器５２ａにおいて室内空気との熱交換によって放熱した冷媒を、利用側流量調節弁５１ａ及び液接続管６１ａを通じて、液冷媒連絡管７に戻すように機能することができる。この機能は、接続ユニット４ａだけでなく、接続ユニット４ｂ、４ｃ、４ｄも同様に有しているため、接続ユニット４ａ、４ｂ、４ｃ、４ｄによって、利用側熱交換器５２ａ、５２ｂ、５２ｃ、５２ｄは、個別に冷媒の蒸発器又は放熱器として機能させる切り換えが可能になっている。
【００５５】
また、接続ユニット４ａは、接続ユニット４ａを構成する各部６６ａ、６７ａの動作を制御する接続側制御部６０ａを有している。そして、接続側制御部６０ａは、接続ユニット６０ａの制御を行うために設けられたマイクロコンピュータやメモリを有しており、利用ユニット３ａの利用側制御部５０ａとの間で制御信号等のやりとりを行うことができるようになっている。
【００５６】
以上のように、利用側冷媒回路１３ａ、１３ｂ、１３ｃ、１３ｄと、熱源側冷媒回路１２と、冷媒連絡管７、８、９と、接続側冷媒回路１４ａ、１４ｂ、１４ｃ、１４ｄとが接続されて、冷暖同時運転型空気調和装置１の冷媒回路１０が構成されている。そして、冷暖同時運転型空気調和装置１では、例えば、利用ユニット３ａ、３ｂが冷房運転を行いつつ、利用ユニット３ｃ、３ｄが暖房運転を行う冷暖同時運転を行うことが可能になっている。このとき、冷媒の放熱器として機能する利用側熱交換器５２ａ、５２ｂから冷媒の蒸発器として機能する利用側熱交換器５２ｃ、５２ｄに冷媒を送ることで利用ユニット３ａ、３ｂ、３ｃ、３ｄ間において熱回収が行われている。すなわち、冷暖同時運転型空気調和装置１は、圧縮機２１と、熱源側熱交換器２４、２５、３５と、個別に冷媒の蒸発器又は放熱器として機能させる切り換えが可能な複数（ここでは、４つ）の利用側熱交換器５２ａ、５２ｂ、５２ｃ、５２ｄとを含んでおり、冷媒の放熱器として機能する利用側熱交換器から冷媒の蒸発器として機能する利用側熱交換器に冷媒を送ることで利用側熱交換器間において熱回収を行うことが可能な熱回収型冷凍装置を構成している。そして、ここでは、上記のように、熱源側熱交換器２４、２５、３５の一部３５を、圧縮機２１から吐出される高圧のガス冷媒を常時流す予冷熱交換器３５とし、予冷熱交換器３５の下流側に、電装品２０ａを冷却する冷媒冷却器３６を接続するようにしている。
【００５７】
（２）熱回収型冷凍装置（冷暖同時運転型空気調和装置）の動作
次に、冷暖同時運転型空気調和装置１の動作について説明する。
【００５８】
冷暖同時運転型空気調和装置１の運転モードは、冷房運転モード（蒸発負荷大）と、冷房運転モード（蒸発負荷小）と、暖房運転モード（放熱負荷大）と、暖房運転モード（放熱負荷小）と、冷暖同時運転モード（蒸発負荷主体）と、冷暖同時運転モード（放熱負荷主体）と、冷暖同時運転モード（蒸発・放熱負荷均衡、熱源側熱交換器２４、２５に冷媒を流す場合）と、冷暖同時運転モード（蒸発・放熱負荷均衡、熱源側熱交換器２４、２５に冷媒を流さない場合）とに分けることができる。ここで、冷房運転モード（蒸発負荷大）は、冷房運転（すなわち、利用側熱交換器が冷媒の蒸発器として機能する運転）を行う利用ユニットだけが存在し、利用ユニット全体の蒸発負荷に対して主熱源側熱交換器としての熱源側熱交換器２４、２５の両方を冷媒の放熱器として機能させる運転モードである。冷房運転モード（蒸発負荷小）は、冷房運転（すなわち、利用側熱交換器が冷媒の蒸発器として機能する運転）を行う利用ユニットだけが存在し、利用ユニット全体の蒸発負荷に対して主熱源側熱交換器としての第１熱源側熱交換器２４だけを冷媒の放熱器として機能させる運転モードである。暖房運転モード（放熱負荷大）は、暖房運転（すなわち、利用側熱交換器が冷媒の放熱器として機能する運転）を行う利用ユニットだけが存在し、利用ユニット全体の放熱負荷に対して主熱源側熱交換器としての熱源側熱交換器２４、２５の両方を冷媒の蒸発器として機能させる運転モードである。暖房運転モード（放熱負荷小）は、暖房運転（すなわち、利用側熱交換器が冷媒の放熱器として機能する運転）を行う利用ユニットだけが存在し、利用ユニット全体の放熱負荷に対して主熱源側熱交換器としての第１熱源側熱交換器２４だけを冷媒の蒸発器として機能させる運転モードである。冷暖同時運転モード（蒸発負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が蒸発負荷主体である場合に、この利用ユニット全体の蒸発負荷に対して主熱源側熱交換器としての第１熱源側熱交換器２４だけを冷媒の放熱器として機能させる運転モードである。冷暖同時運転モード（放熱負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が放熱負荷主体である場合に、この利用ユニット全体の放熱負荷に対して主熱源側熱交換器としての第１熱源側熱交換器２４だけを冷媒の蒸発器として機能させる運転モードである。冷暖同時運転モード（蒸発・放熱負荷均衡、熱源側熱交換器２４、２５に冷媒を流す場合）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の蒸発負荷と放熱負荷とが均衡する場合に、主熱源側熱交換器としての第１熱源側熱交換器２４を冷媒の放熱器として機能させ、かつ、主熱源側熱交換器としての第２熱源側熱交換器２５を冷媒の蒸発器として機能させる運転モードである。冷暖同時運転モード（蒸発・放熱負荷均衡、熱源側熱交換器２４、２５に冷媒を流さない場合）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の蒸発負荷と放熱負荷とが均衡する場合に、主熱源側熱交換器としての第１熱源側熱交換器２４及び第２熱源側熱交換器２５の両方に冷媒を流さないようにした運転モードである。
【００５９】
尚、これらの運転モードを含む冷暖同時運転型空気調和装置１の動作は、上記の制御部２０、５０ａ、５０ｂ、５０ｃ、５０ｄ、６０ａ、６０ｂ、６０ｃ、６０ｄによって行われる。
【００６０】
＜冷房運転モード（蒸発負荷大）＞
冷房運転モード（蒸発負荷大）の際、例えば、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、主熱源側熱交換器としての熱源側熱交換器２４、２５の両方が冷媒の放熱器として機能する際、空気調和装置１の冷媒回路１０は、図４に示されるように構成される（冷媒の流れについては、図４の冷媒回路１０に付された矢印を参照）。
【００６１】
具体的には、熱源ユニット２においては、第１熱交切換機構２２を放熱運転状態（図４の第１熱交切換機構２２の実線で示された状態）に切り換え、第２熱交切換機構２３を放熱運転状態（図４の第２熱交切換機構２３の実線で示された状態）に切り換えることによって、熱源側熱交換器２４、２５の両方を冷媒の放熱器として機能させるようになっている。また、高低圧切換機構３０を蒸発負荷主体運転状態（図４の高低圧切換機構３０の実線で示された状態）に切り換えている。また、熱源側流量調節弁２６、２７は、開度調節され、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａ、６６ｂ、６６ｃ、６６ｄ、及び、低圧ガス開閉弁６７ａ、６７ｂ、６７ｃ、６７ｄを開状態にすることによって、利用ユニット３ａ、３ｂ、３ｃ、３ｄの利用側熱交換器５２ａ、５２ｂ、５２ｃ、５２ｄの全てを冷媒の蒸発器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吸入側とが高低圧ガス冷媒連絡管８及び低圧ガス冷媒連絡管９を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００６２】
このような冷媒回路１０において、圧縮機２１で圧縮され吐出された高圧のガス冷媒は、熱交切換機構２２、２３を通じて、主熱源側熱交換器としての熱源側熱交換器２４、２５の両方に送られる。また、圧縮機２１で圧縮され吐出された高圧のガス冷媒は、予冷熱交換器３５にも送られる。そして、熱源側熱交換器２４、２５に送られた高圧のガス冷媒は、熱源側熱交換器２４、２５において、室外ファン３４によって供給される熱源としての室外空気と熱交換を行うことによって放熱する。そして、熱源側熱交換器２４、２５において放熱した冷媒は、熱源側流量調節弁２６、２７において流量調節された後、合流して、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、熱源側熱交換器２４、２５からレシーバ２８に送られた冷媒は、レシーバ２８内に一時的に溜められた後、レシーバ出口管２８ｂにおいて冷媒冷却器３６を通過した冷媒と合流し、出口逆止弁２９ｃ及び液側閉鎖弁３１を通じて、液冷媒連絡管７に送られる。
【００６３】
そして、液冷媒連絡管７に送られた冷媒は、４つに分岐されて、各接続ユニット４ａ、４ｂ、４ｃ、４ｄの液接続管６１ａ、６１ｂ、６１ｃ、６１ｄに送られる。そして、液接続管６１ａ、６１ｂ、６１ｃ、６１ｄに送られた冷媒は、利用ユニット３ａ、３ｂ、３ｃ、３ｄの利用側流量調節弁５１ａ、５１ｂ、５１ｃ、５１ｄに送られる。
【００６４】
そして、利用側流量調節弁５１ａ、５１ｂ、５１ｃ、５１ｄに送られた冷媒は、利用側流量調節弁５１ａ、５１ｂ、５１ｃ、５１ｄにおいて流量調節された後、利用側熱交換器５２ａ、５２ｂ、５２ｃ、５２ｄにおいて、室内ファン５３ａ、５３ｂ、５３ｃ、５３ｄによって供給される室内空気と熱交換を行うことによって蒸発して低圧のガス冷媒となる。一方、室内空気は、冷却されて室内に供給されて、利用ユニット３ａ、３ｂ、３ｃ、３ｄの冷房運転が行われる。そして、低圧のガス冷媒は、接続ユニット４ａ、４ｂ、４ｃ、４ｄの合流ガス接続管６５ａ、６５ｂ、６５ｃ、６５ｄに送られる。
【００６５】
そして、合流ガス接続管６５ａ、６５ｂ、６５ｃ、６５ｄに送られた低圧のガス冷媒は、高圧ガス開閉弁６６ａ、６６ｂ、６６ｃ、６６ｄ及び高圧ガス接続管６３ａ、６３ｂ、６３ｃ、６３ｄを通じて、高低圧ガス冷媒連絡管８に送られて合流するとともに、低圧ガス開閉弁６７ａ、６７ｂ、６７ｃ、６７ｄ及び低圧ガス接続管６４ａ、６４ｂ、６４ｃ、６４ｄを通じて、低圧ガス冷媒連絡管９に送られて合流する。
【００６６】
そして、ガス冷媒連絡管８、９に送られた低圧のガス冷媒は、ガス側閉鎖弁３２、３３及び高低圧切換機構３０を通じて、圧縮機２１の吸入側に戻される。
【００６７】
このようにして、冷房運転モード（蒸発負荷大）における動作が行われる。そして、冷房運転モード（蒸発負荷大）では、上記のように、冷媒冷却器３６に予冷熱交換器３５を通じて常時冷媒を流すことができる。これにより、冷房運転モード（蒸発負荷大）において、冷媒冷却器３６を流れる冷媒の流量を確保して電装品２０ａの冷却を行うことができるようになっている。
【００６８】
＜冷房運転モード（蒸発負荷小）＞
冷房運転モード（蒸発負荷小）、例えば、利用ユニット３ａだけが冷房運転（すなわち、利用側熱交換器５２ａだけが冷媒の蒸発器として機能する運転）を行い、主熱源側熱交換器としての第１熱源側熱交換器２４だけが冷媒の放熱器として機能する際、空気調和装置１の冷媒回路１０は、図５に示されるように構成される（冷媒の流れについては、図５の冷媒回路１０に付された矢印を参照）。
【００６９】
具体的には、熱源ユニット２においては、第１熱交切換機構２２を放熱運転状態（図５の第１熱交切換機構２２の実線で示された状態）に切り換えることによって、第１熱源側熱交換器２４だけを冷媒の放熱器として機能させるようになっている。また、高低圧切換機構３０を蒸発負荷主体運転状態（図５の高低圧切換機構３０の実線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａ、及び、低圧ガス開閉弁６７ａを開状態にし、かつ、高圧ガス開閉弁６６ｂ、６６ｃ、６６ｄ、及び、低圧ガス開閉弁６７ｂ、６７ｃ、６７ｄを閉状態にすることによって、利用ユニット３ａの利用側熱交換器５２ａだけを冷媒の蒸発器として機能させるとともに、利用ユニット３ａの利用側熱交換器５２ａと熱源ユニット２の圧縮機２１の吸入側とが高低圧ガス冷媒連絡管８及び低圧ガス冷媒連絡管９を介して接続された状態になっている。利用ユニット３ａにおいては、利用側流量調節弁５１ａは、開度調節され、利用ユニット３ｂ、３ｃ、３ｄにおいては、利用側流量調節弁５１ｂ、５１ｃ、５１ｄは、閉状態になっている。
【００７０】
このような冷媒回路１０において、圧縮機２１で圧縮され吐出された高圧のガス冷媒は、第１熱交切換機構２２を通じて、主熱源側熱交換器としての第１熱源側熱交換器２４に送られる。また、圧縮機２１で圧縮され吐出された高圧のガス冷媒は、予冷熱交換器３５にも送られる。そして、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。冷媒冷却器３６を通過した冷媒は、冷媒冷却側流量調節弁３７において流量調節された後、レシーバ出口管２８ｂに送られる。そして、第１熱源側熱交換器２４からレシーバ２８に送られた冷媒は、レシーバ２８内に一時的に溜められた後、レシーバ出口管２８ｂにおいて冷媒冷却器３６を通過した冷媒と合流し、出口逆止弁２９ｃ及び液側閉鎖弁３１を通じて、液冷媒連絡管７に送られる。
【００７１】
そして、液冷媒連絡管７に送られた冷媒は、接続ユニット４ａの液接続管６１ａだけに送られる。そして、接続ユニット４ａの液接続管６１ａに送られた冷媒は、利用ユニット３ａの利用側流量調節弁５１ａに送られる。
【００７２】
そして、利用側流量調節弁５１ａに送られた冷媒は、利用側流量調節弁５１ａにおいて流量調節された後、利用側熱交換器５２ａにおいて、室内ファン５３ａによって供給される室内空気と熱交換を行うことによって蒸発して低圧のガス冷媒となる。一方、室内空気は、冷却されて室内に供給されて、利用ユニット３ａだけの冷房運転が行われる。そして、低圧のガス冷媒は、接続ユニット４ａの合流ガス接続管６５ａに送られる。
【００７３】
そして、合流ガス接続管６５ａに送られた低圧のガス冷媒は、高圧ガス開閉弁６６ａ及び高圧ガス接続管６３ａを通じて、高低圧ガス冷媒連絡管８に送られるとともに、低圧ガス開閉弁６７ａ及び低圧ガス接続管６４ａを通じて、低圧ガス冷媒連絡管９に送られる。
【００７４】
そして、ガス冷媒連絡管８、９に送られた低圧のガス冷媒は、ガス側閉鎖弁３２、３３及び高低圧切換機構３０を通じて、圧縮機２１の吸入側に戻される。
【００７５】
このようにして、冷房運転モード（蒸発負荷小）における動作が行われる。そして、冷房運転モード（蒸発負荷小）では、上記のように、冷媒冷却器３６に予冷熱交換器３５を通じて常時冷媒を流すことができる。これにより、冷房運転モード（蒸発負荷小）において、冷媒冷却器３６を流れる冷媒の流量を確保して電装品２０ａの冷却を行うことができるようになっている。
【００７６】
＜暖房運転モード（放熱負荷大）＞
暖房運転モード（放熱負荷大）の際、例えば、例えば、利用ユニット３ａ、３ｂ、３ｃ、３ｄの全てが暖房運転（すなわち、利用側熱交換器５２ａ、５２ｂ、５２ｃ、５２ｄの全てが冷媒の放熱器として機能する運転）を行い、主熱源側熱交換器としての熱源側熱交換器２４、２５の両方が冷媒の蒸発器として機能する際、空気調和装置１の冷媒回路１０は、図６に示されるように構成される（冷媒の流れについては、図６の冷媒回路１０に付された矢印を参照）。
【００７７】
具体的には、熱源ユニット２においては、第１熱交切換機構２２を蒸発運転状態（図６の第１熱交切換機構２２の破線で示された状態）に切り換え、第２熱交切換機構２３を蒸発運転状態（図６の第２熱交切換機構２３の破線で示された状態）に切り換えることによって、熱源側熱交換器２４、２５の両方を冷媒の蒸発器として機能させるようになっている。また、高低圧切換機構３０を放熱負荷主体運転状態（図６の高低圧切換機構３０の破線で示された状態）に切り換えている。また、熱源側流量調節弁２６、２７は、開度調節され、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａ、６６ｂ、６６ｃ、６６ｄを開状態にし、低圧ガス開閉弁６７ａ、６７ｂ、６７ｃ、６７ｄを閉状態にすることによって、利用ユニット３ａ、３ｂ、３ｃ、３ｄの利用側熱交換器５２ａ、５２ｂ、５２ｃ、５２ｄの全てを冷媒の放熱器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００７８】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、予冷熱交換器３５にも送られる。予冷熱交換器３５に送られた高圧のガス冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００７９】
そして、高低圧ガス冷媒連絡管８に送られた高圧のガス冷媒は、４つに分岐されて、各接続ユニット４ａ、４ｂ、４ｃ、４ｄの高圧ガス接続管６３ａ、６３ｂ、６３ｃ、６３ｄに送られる。高圧ガス接続管６３ａ、６３ｂ、６３ｃ、６３ｄに送られた高圧のガス冷媒は、高圧ガス開閉弁６６ａ、６６ｂ、６６ｃ、６６ｄ及び合流ガス接続管６５ａ、６５ｂ、６５ｃ、６５ｄを通じて、利用ユニット３ａ、３ｂ、３ｃ、３ｄの利用側熱交換器５２ａ、５２ｂ、５２ｃ、５２ｄに送られる。
【００８０】
そして、利用側熱交換器５２ａ、５２ｂ、５２ｃ、５２ｄに送られた高圧のガス冷媒は、利用側熱交換器５２ａ、５２ｂ、５２ｃ、５２ｄにおいて、室内ファン５３ａ、５３ｂ、５３ｃ、５３ｄによって供給される室内空気と熱交換を行うことによって放熱する。一方、室内空気は、加熱されて室内に供給されて、利用ユニット３ａ、３ｂ、３ｃ、３ｄの暖房運転が行われる。利用側熱交換器５２ａ、５２ｂ、５２ｃ、５２ｄにおいて放熱した冷媒は、利用側流量調節弁５１ａ、５１ｂ、５１ｃ、５１ｄにおいて流量調節された後、接続ユニット４ａ、４ｂ、４ｃ、４ｄの液接続管６１ａ、６１ｂ、６１ｃ、６１ｄに送られる。
【００８１】
そして、液接続管６１ａ、６１ｂ、６１ｃ、６１ｄに送られた冷媒は、液冷媒連絡管７に送られて合流する。
【００８２】
そして、液冷媒連絡管７に送られた冷媒は、液側閉鎖弁３１、入口逆止弁２９ｂ及びレシーバ入口開閉弁２８ｃを通じて、レシーバ２８に送られる。レシーバ２８に送られた冷媒は、レシーバ２８内に一時的に溜められた後、レシーバ出口管２８ｂにおいて冷媒冷却器３６を通過した冷媒と合流し、出口逆止弁２９ｄを通じて、熱源側流量調節弁２６、２７の両方に送られる。そして、熱源側流量調節弁２６、２７に送られた冷媒は、熱源側流量調節弁２６、２７において流量調節された後、熱源側熱交換器２４、２５において、室外ファン３４によって供給される室外空気と熱交換を行うことによって蒸発して低圧のガス冷媒になり、熱交切換機構２２、２３に送られる。そして、熱交切換機構２２、２３に送られた低圧のガス冷媒は、合流して、圧縮機２１の吸入側に戻される。
【００８３】
このようにして、暖房運転モード（放熱負荷大）における動作が行われる。そして、暖房運転モード（放熱負荷大）では、上記のように、冷媒冷却器３６に予冷熱交換器３５を通じて常時冷媒を流すことができる。これにより、暖房運転モード（放熱負荷大）において、冷媒冷却器３６を流れる冷媒の流量を確保して電装品２０ａの冷却を行うことができるようになっている。
【００８４】
＜暖房運転モード（放熱負荷小）＞
暖房運転モード（放熱負荷小）、例えば、利用ユニット３ａだけが暖房運転（すなわち、利用側熱交換器５２ａだけが冷媒の放熱器として機能する運転）を行い、主熱源側熱交換器としての第１熱源側熱交換器２４だけが冷媒の蒸発器として機能する際、空気調和装置１の冷媒回路１０は、図７に示されるように構成される（冷媒の流れについては、図７の冷媒回路１０に付された矢印を参照）。
【００８５】
具体的には、熱源ユニット２においては、第１熱交切換機構２２を蒸発運転状態（図７の第１熱交切換機構２２の破線で示された状態）に切り換えることによって、第１熱源側熱交換器２４だけを冷媒の蒸発器として機能させるようになっている。また、高低圧切換機構３０を放熱負荷主体運転状態（図７の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａを開状態にし、高圧ガス開閉弁６６ｂ、６６ｃ、６６ｄ、及び、低圧ガス開閉弁６７ａ、６７ｂ、６７ｃ、６７ｄを閉状態にすることによって、利用ユニット３ａの利用側熱交換器５２ａだけを冷媒の放熱器として機能させるとともに、利用ユニット３ａの利用側熱交換器５２ａと熱源ユニット２の圧縮機２１の吐出側とが高低圧ガス冷媒連絡管８を介して接続された状態になっている。利用ユニット３ａにおいては、利用側流量調節弁５１ａは、開度調節され、利用ユニット３ｂ、３ｃ、３ｄにおいては、利用側流量調節弁５１ｂ、５１ｃ、５１ｄは、閉状態になっている。
【００８６】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、予冷熱交換器３５にも送られる。予冷熱交換器３５に送られた高圧のガス冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【００８７】
そして、高低圧ガス冷媒連絡管８に送られた高圧のガス冷媒は、接続ユニット４ａの高圧ガス接続管６３ａだけに送られる。高圧ガス接続管６３ａに送られた高圧のガス冷媒は、高圧ガス開閉弁６６ａ及び合流ガス接続管６５ａを通じて、利用ユニット３ａの利用側熱交換器５２ａに送られる。
【００８８】
そして、利用側熱交換器５２ａに送られた高圧のガス冷媒は、利用側熱交換器５２ａにおいて、室内ファン５３ａによって供給される室内空気と熱交換を行うことによって放熱する。一方、室内空気は、加熱されて室内に供給されて、利用ユニット３ａだけの暖房運転が行われる。利用側熱交換器５２ａにおいて放熱した冷媒は、利用側流量調節弁５１ａにおいて流量調節された後、接続ユニット４ａの液接続管６１ａに送られる。
【００８９】
そして、液接続管６１ａに送られた冷媒は、液冷媒連絡管７に送られる。
【００９０】
そして、液冷媒連絡管７に送られた冷媒は、液側閉鎖弁３１、入口逆止弁２９ｂ及びレシーバ入口開閉弁２８ｃを通じて、レシーバ２８に送られる。レシーバ２８に送られた冷媒は、レシーバ２８内に一時的に溜められた後、レシーバ出口管２８ｂにおいて冷媒冷却器３６を通過した冷媒と合流し、出口逆止弁２９ｄを通じて、第１熱源側流量調節弁２６だけに送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交切換機構２２に送られる。そして、第１熱交切換機構２２に送られた低圧のガス冷媒は、圧縮機２１の吸入側に戻される。
【００９１】
このようにして、暖房運転モード（放熱負荷小）における動作が行われる。そして、暖房運転モード（放熱負荷小）では、上記のように、冷媒冷却器３６に予冷熱交換器３５を通じて常時冷媒を流すことができる。これにより、暖房運転モード（放熱負荷小）において、冷媒冷却器３６を流れる冷媒の流量を確保して電装品２０ａの冷却を行うことができるようになっている。
【００９２】
＜冷暖同時運転モード（蒸発負荷主体）＞
冷暖同時運転モード（蒸発負荷主体）、例えば、利用ユニット３ａ、３ｂ、３ｃが冷房運転し、かつ、利用ユニット３ｄが暖房運転し（すなわち、利用側熱交換器５２ａ、５２ｂ、５２ｃが冷媒の蒸発器として機能し、かつ、利用側熱交換器５２ｄが冷媒の放熱器として機能する運転）を行い、主熱源側熱交換器としての第１熱源側熱交換器２４だけが冷媒の放熱器として機能する際、空気調和装置１の冷媒回路１０は、図８に示されるように構成される（冷媒の流れについては、図８の冷媒回路１０に付された矢印を参照）。
【００９３】
具体的には、熱源ユニット２においては、第１熱交切換機構２２を放熱運転状態（図８の第１熱交切換機構２２の実線で示された状態）に切り換えることによって、第１熱源側熱交換器２４だけを冷媒の放熱器として機能させるようになっている。また、高低圧切換機構３０を放熱負荷主体運転状態（図８の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ｄ、及び、低圧ガス開閉弁６７ａ、６７ｂ、６７ｃを開状態にし、かつ、高圧ガス開閉弁６６ａ、６６ｂ、６６ｃ、及び、低圧ガス開閉弁６７ｄを閉状態にすることによって、利用ユニット３ａ、３ｂ、３ｃの利用側熱交換器５２ａ、５２ｂ、５２ｃを冷媒の蒸発器として機能させ、かつ、利用ユニット３ｄの利用側熱交換器５２ｄを冷媒の放熱器として機能させるとともに、利用ユニット３ａ、３ｂ、３ｃの利用側熱交換器５２ａ、５２ｂ、５２ｃと熱源ユニット２の圧縮機２１の吸入側とが低圧ガス冷媒連絡管９を介して接続された状態になり、かつ、利用ユニット３ｄの利用側熱交換器５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００９４】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。また、圧縮機２１で圧縮され吐出された高圧のガス冷媒は、予冷熱交換器３５にも送られる。
【００９５】
そして、高低圧ガス冷媒連絡管８に送られた高圧のガス冷媒は、接続ユニット４ｄの高圧ガス接続管６３ｄに送られる。高圧ガス接続管６３ｄに送られた高圧のガス冷媒は、高圧ガス開閉弁６６ｄ及び合流ガス接続管６５ｄを通じて、利用ユニット３ｄの利用側熱交換器５２ｄに送られる。
【００９６】
そして、利用側熱交換器５２ｄに送られた高圧のガス冷媒は、利用側熱交換器５２ｄにおいて、室内ファン５３ｄによって供給される室内空気と熱交換を行うことによって放熱する。一方、室内空気は、加熱されて室内に供給されて、利用ユニット３ｄの暖房運転が行われる。利用側熱交換器５２ｄにおいて放熱した冷媒は、利用側流量調節弁５１ｄにおいて流量調節された後、接続ユニット４ｄの液接続管６１ｄに送られる。
【００９７】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。そして、第１熱源側熱交換器２４からレシーバ２８に送られた冷媒は、レシーバ２８内に一時的に溜められた後、レシーバ出口管２８ｂにおいて冷媒冷却器３６を通過した冷媒と合流し、出口逆止弁２９ｃ及び液側閉鎖弁３１を通じて、液冷媒連絡管７に送られる。
【００９８】
そして、利用側熱交換器５２ｄにおいて放熱して液接続管６１ｄに送られた冷媒は、液冷媒連絡管７に送られて、第１熱源側熱交換器２４において放熱して液冷媒連絡管７に送られた冷媒と合流する。
【００９９】
そして、液冷媒連絡管７において合流した冷媒は、３つに分岐されて、各接続ユニット４ａ、４ｂ、４ｃの液接続管６１ａ、６１ｂ、６１ｃに送られる。そして、液接続管６１ａ、６１ｂ、６１ｃに送られた冷媒は、利用ユニット３ａ、３ｂ、３ｃの利用側流量調節弁５１ａ、５１ｂ、５１ｃに送られる。
【０１００】
そして、利用側流量調節弁５１ａ、５１ｂ、５１ｃに送られた冷媒は、利用側流量調節弁５１ａ、５１ｂ、５１ｃにおいて流量調節された後、利用側熱交換器５２ａ、５２ｂ、５２ｃにおいて、室内ファン５３ａ、５３ｂ、５３ｃによって供給される室内空気と熱交換を行うことによって蒸発して低圧のガス冷媒となる。一方、室内空気は、冷却されて室内に供給されて、利用ユニット３ａ、３ｂ、３ｃの冷房運転が行われる。そして、低圧のガス冷媒は、接続ユニット４ａ、４ｂ、４ｃの合流ガス接続管６５ａ、６５ｂ、６５ｃに送られる。
【０１０１】
そして、合流ガス接続管６５ａ、６５ｂ、６５ｃに送られた低圧のガス冷媒は、低圧ガス開閉弁６７ａ、６７ｂ、６７ｃ及び低圧ガス接続管６４ａ、６４ｂ、６４ｃを通じて、低圧ガス冷媒連絡管９に送られて合流する。
【０１０２】
そして、低圧ガス冷媒連絡管９に送られた低圧のガス冷媒は、ガス側閉鎖弁３３を通じて、圧縮機２１の吸入側に戻される。
【０１０３】
このようにして、冷暖同時運転モード（蒸発負荷主体）における動作が行われる。そして、冷暖同時運転モード（蒸発負荷主体）では、上記のように、冷媒の放熱器として機能する利用側熱交換器５２ｄから冷媒の蒸発器として機能する利用側熱交換器５２ａ、５２ｂ、５２ｃに冷媒を送ることで利用側熱交換器５２ａ、５２ｂ、５２ｃ、５２ｄ間において熱回収が行われるようになっている。また、冷暖同時運転モード（蒸発負荷主体）では、上記のように、冷媒冷却器３６に予冷熱交換器３５を通じて常時冷媒を流すことができる。これにより、冷暖同時運転モード（蒸発負荷主体）において、冷媒冷却器３６を流れる冷媒の流量を確保して電装品２０ａの冷却を行うことができるようになっている。
【０１０４】
＜冷暖同時運転モード（放熱負荷主体）＞
冷暖同時運転モード（放熱負荷主体）、例えば、利用ユニット３ａ、３ｂ、３ｃが暖房運転し、かつ、利用ユニット３ｄが冷房運転し（すなわち、利用側熱交換器５２ａ、５２ｂ、５２ｃが冷媒の放熱器として機能し、かつ、利用側熱交換器５２ｄが冷媒の蒸発器として機能する運転）を行い、主熱源側熱交換器としての第１熱源側熱交換器２４だけが冷媒の蒸発器として機能する際、空気調和装置１の冷媒回路１０は、図９に示されるように構成される（冷媒の流れについては、図９の冷媒回路１０に付された矢印を参照）。
【０１０５】
具体的には、熱源ユニット２においては、第１熱交切換機構２２を蒸発運転状態（図９の第１熱交切換機構２２の破線で示された状態）に切り換えることによって、第１熱源側熱交換器２４だけを冷媒の蒸発器として機能させるようになっている。また、高低圧切換機構３０を放熱負荷主体運転状態（図９の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ａ、６６ｂ、６６ｃ、及び、低圧ガス開閉弁６７ｄを開状態にし、かつ、高圧ガス開閉弁６６ｄ、及び、低圧ガス開閉弁６７ａ、６７ｂ、６７ｃを閉状態にすることによって、利用ユニット３ａ、３ｂ、３ｃの利用側熱交換器５２ａ、５２ｂ、５２ｃを冷媒の放熱器として機能させ、かつ、利用ユニット３ｄの利用側熱交換器５２ｄを冷媒の蒸発器として機能させるとともに、利用ユニット３ｄの利用側熱交換器５２ｄと熱源ユニット２の圧縮機２１の吸入側とが低圧ガス冷媒連絡管９を介して接続された状態になり、かつ、利用ユニット３ａ、３ｂ、３ｃの利用側熱交換器５２ａ、５２ｂ、５２ｃと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【０１０６】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。また、圧縮機２１で圧縮され吐出された高圧のガス冷媒は、予冷熱交換器３５にも送られる。予冷熱交換器３５に送られた高圧のガス冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。
【０１０７】
そして、高低圧ガス冷媒連絡管８に送られた高圧のガス冷媒は、３つに分岐されて、各接続ユニット４ａ、４ｂ、４ｃの高圧ガス接続管６３ａ、６３ｂ、６３ｃに送られる。高圧ガス接続管６３ａ、６３ｂ、６３ｃに送られた高圧のガス冷媒は、高圧ガス開閉弁６６ａ、６６ｂ、６６ｃ及び合流ガス接続管６５ａ、６５ｂ、６５ｃを通じて、利用ユニット３ａ、３ｂ、３ｃの利用側熱交換器５２ａ、５２ｂ、５２ｃに送られる。
【０１０８】
そして、利用側熱交換器５２ａ、５２ｂ、５２ｃに送られた高圧のガス冷媒は、利用側熱交換器５２ａ、５２ｂ、５２ｃにおいて、室内ファン５３ａ、５３ｂ、５３ｃによって供給される室内空気と熱交換を行うことによって放熱する。一方、室内空気は、加熱されて室内に供給されて、利用ユニット３ａ、３ｂ、３ｃの暖房運転が行われる。利用側熱交換器５２ａ、５２ｂ、５２ｃにおいて放熱した冷媒は、利用側流量調節弁５１ａ、５１ｂ、５１ｃにおいて流量調節された後、接続ユニット４ａ、４ｂ、４ｃの液接続管６１ａ、６１ｂ、６１ｃに送られる。
【０１０９】
そして、液接続管６１ａ、６１ｂ、６１ｃ、６１ｄに送られた冷媒は、液冷媒連絡管７に送られて合流する。
【０１１０】
液冷媒連絡管７において合流した冷媒は、その一部が、接続ユニット４ｄの液接続管６１ｄに送られ、残りが、液側閉鎖弁３１、入口逆止弁２９ｂ及びレシーバ入口開閉弁２８ｃを通じて、レシーバ２８に送られる。
【０１１１】
そして、接続ユニット４ｄの液接続管６１ｄに送られた冷媒は、利用ユニット３ｄの利用側流量調節弁５１ｄに送られる。
【０１１２】
そして、利用側流量調節弁５１ｄに送られた冷媒は、利用側流量調節弁５１ｄにおいて流量調節された後、利用側熱交換器５２ｄにおいて、室内ファン５３ｄによって供給される室内空気と熱交換を行うことによって蒸発して低圧のガス冷媒となる。一方、室内空気は、冷却されて室内に供給されて、利用ユニット３ｄの冷房運転が行われる。そして、低圧のガス冷媒は、接続ユニット４ｄの合流ガス接続管６５ｄに送られる。
【０１１３】
そして、合流ガス接続管６５ｄに送られた低圧のガス冷媒は、低圧ガス開閉弁６７ｄ及び低圧ガス接続管６４ｄを通じて、低圧ガス冷媒連絡管９に送られる。
【０１１４】
そして、低圧ガス冷媒連絡管９に送られた低圧のガス冷媒は、ガス側閉鎖弁３３を通じて、圧縮機２１の吸入側に戻される。
【０１１５】
また、レシーバ２８に送られた冷媒は、レシーバ２８内に一時的に溜められた後、レシーバ出口管２８ｂにおいて冷媒冷却器３６を通過した冷媒と合流し、出口逆止弁２９ｄを通じて、第１熱源側流量調節弁２６に送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交切換機構２２に送られる。そして、第１熱交切換機構２２に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【０１１６】
このようにして、冷暖同時運転モード（放熱負荷主体）における動作が行われる。そして、冷暖同時運転モード（放熱負荷主体）では、上記のように、冷媒の放熱器として機能する利用側熱交換器５２ａ、５２ｂ、５２ｃから冷媒の蒸発器として機能する利用側熱交換器５２ｄに冷媒を送ることで利用側熱交換器５２ａ、５２ｂ、５２ｃ、５２ｄ間において熱回収が行われるようになっている。また、冷暖同時運転モード（放熱負荷主体）では、上記のように、冷媒冷却器３６に予冷熱交換器３５を通じて常時冷媒を流すことができる。これにより、冷暖同時運転モード（放熱負荷主体）において、冷媒冷却器３６を流れる冷媒の流量を確保して電装品２０ａの冷却を行うことができるようになっている。
【０１１７】
＜冷暖同時運転モード（蒸発・放熱負荷均衡、熱源側熱交換器に冷媒を流す場合）＞
冷暖同時運転モード（蒸発・放熱負荷均衡、熱源側熱交換器に冷媒を流す場合）、例えば、利用ユニット３ａ、３ｂが冷房運転し、かつ、利用ユニット３ｃ、３ｄが暖房運転し（すなわち、利用側熱交換器５２ａ、５２ｂが冷媒の蒸発器として機能し、かつ、利用側熱交換器５２ｃ、５２ｄが冷媒の放熱器として機能する運転）を行い、主熱源側熱交換器としての第１熱源側熱交換器２４が冷媒の放熱器として機能し、かつ、主熱源側熱交換器としての第２熱源側熱交換器２５が冷媒の蒸発器として機能する際、空気調和装置１の冷媒回路１０は、図１０に示されるように構成される（冷媒の流れについては、図１０の冷媒回路１０に付された矢印を参照）。
【０１１８】
具体的には、熱源ユニット２においては、第１熱交切換機構２２を放熱運転状態（図１０の第１熱交切換機構２２の実線で示された状態）に切り換え、かつ、第２熱交切換機構２３を蒸発運転状態（図１０の第２熱交切換機構２３の破線で示された状態）に切り換えることによって、第１熱源側熱交換器２４を冷媒の放熱器として機能させ、かつ、第２熱源側熱交換器２５を冷媒の蒸発器として機能させるようになっている。また、高低圧切換機構３０を放熱負荷主体運転状態（図１０の高低圧切換機構３０の破線で示された状態）に切り換えている。また、熱源側流量調節弁２６、２７は、開度調節されている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ｃ、６６ｄ、及び、低圧ガス開閉弁６７ａ、６７ｂを開状態にし、かつ、高圧ガス開閉弁６６ａ、６６ｂ、及び、低圧ガス開閉弁６７ｃ、６７ｄを閉状態にすることによって、利用ユニット３ａ、３ｂの利用側熱交換器５２ａ、５２ｂを冷媒の蒸発器として機能させ、かつ、利用ユニット３ｃ、３ｄの利用側熱交換器５２ｃ、５２ｄを冷媒の放熱器として機能させるとともに、利用ユニット３ａ、３ｂの利用側熱交換器５２ａ、５２ｂと熱源ユニット２の圧縮機２１の吸入側とが低圧ガス冷媒連絡管９を介して接続された状態になり、かつ、利用ユニット３ｃ、３ｄの利用側熱交換器５２ｃ、５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【０１１９】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。また、圧縮機２１で圧縮され吐出された高圧のガス冷媒は、予冷熱交換器３５にも送られる。
【０１２０】
そして、高低圧ガス冷媒連絡管８に送られた高圧のガス冷媒は、接続ユニット４ｃ、４ｄの高圧ガス接続管６３ｃ、６３ｄに送られる。高圧ガス接続管６３ｃ、６３ｄに送られた高圧のガス冷媒は、高圧ガス開閉弁６６ｃ、６６ｄ及び合流ガス接続管６５ｃ、６５ｄを通じて、利用ユニット３ｃ、３ｄの利用側熱交換器５２ｃ、５２ｄに送られる。
【０１２１】
そして、利用側熱交換器５２ｃ、５２ｄに送られた高圧のガス冷媒は、利用側熱交換器５２ｃ、５２ｄにおいて、室内ファン５３ｃ、５３ｄによって供給される室内空気と熱交換を行うことによって放熱する。一方、室内空気は、加熱されて室内に供給されて、利用ユニット３ｃ、３ｄの暖房運転が行われる。利用側熱交換器５２ｃ、５２ｄにおいて放熱した冷媒は、利用側流量調節弁５１ｃ、５１ｄにおいて流量調節された後、接続ユニット４ｃ、４ｄの液接続管６１ｃ、６１ｄに送られる。
【０１２２】
そして、利用側熱交換器５２ｃ、５２ｄにおいて放熱して液接続管６１ｃ、６１ｄに送られた冷媒は、液冷媒連絡管７に送られて合流する。
【０１２３】
そして、液冷媒連絡管７において合流した冷媒は、２つに分岐されて、各接続ユニット４ａ、４ｂの液接続管６１ａ、６１ｂに送られる。そして、液接続管６１ａ、６１ｂに送られた冷媒は、利用ユニット３ａ、３ｂの利用側流量調節弁５１ａ、５１ｂに送られる。
【０１２４】
そして、利用側流量調節弁５１ａ、５１ｂに送られた冷媒は、利用側流量調節弁５１ａ、５１ｂにおいて流量調節された後、利用側熱交換器５２ａ、５２ｂにおいて、室内ファン５３ａ、５３ｂによって供給される室内空気と熱交換を行うことによって蒸発して低圧のガス冷媒となる。一方、室内空気は、冷却されて室内に供給されて、利用ユニット３ａ、３ｂの冷房運転が行われる。そして、低圧のガス冷媒は、接続ユニット４ａ、４ｂの合流ガス接続管６５ａ、６５ｂに送られる。
【０１２５】
そして、合流ガス接続管６５ａ、６５ｂに送られた低圧のガス冷媒は、低圧ガス開閉弁６７ａ、６７ｂ及び低圧ガス接続管６４ａ、６４ｂを通じて、低圧ガス冷媒連絡管９に送られて合流する。
【０１２６】
そして、低圧ガス冷媒連絡管９に送られた低圧のガス冷媒は、ガス側閉鎖弁３３を通じて、圧縮機２１の吸入側に戻される。
【０１２７】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６を通過した後、そのほとんどが、第２熱源側流量調節弁２７に送られる。また、予冷熱交換器３５に送られた高圧のガス冷媒も、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。レシーバ出口管２８ｂに送られた冷媒は、出口逆止弁２９ｄを通じて、第２熱源側流量調節弁２７に送られる。このため、第１熱源側熱交換器２４において放熱した冷媒が、レシーバ２８、ブリッジ回路２９及び液側閉鎖弁３１を通じて、液冷媒連絡管７に送られない状態になっている。そして、第２熱源側流量調節弁２７に送られた冷媒は、第２熱源側流量調節弁２７において流量調節された後、第２熱源側熱交換器２５において、室外ファン３４によって供給される室外空気と熱交換を行うことによって蒸発して低圧のガス冷媒になり、第２熱交切換機構２３に送られる。そして、第２熱交切換機構２３に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【０１２８】
このようにして、冷暖同時運転モード（蒸発・放熱負荷均衡、熱源側熱交換器に冷媒を流す場合）における動作が行われる。そして、冷暖同時運転モード（蒸発・放熱負荷均衡、熱源側熱交換器に冷媒を流す場合）では、上記のように、冷媒の放熱器として機能する利用側熱交換器５２ｃ、５２ｄから冷媒の蒸発器として機能する利用側熱交換器５２ａ、５２ｂに冷媒を送ることで利用側熱交換器５２ａ、５２ｂ、５２ｃ、５２ｄ間において熱回収が行われるようになっている。また、冷暖同時運転モード（蒸発・放熱負荷均衡、熱源側熱交換器に冷媒を流す場合）では、上記のように、第１熱源側熱交換器２４を冷媒の放熱器として機能させ、かつ、第２熱源側熱交換器２５を冷媒の蒸発器として機能させることで、２つの熱源側熱交換器２４、２５の蒸発負荷と放熱負荷とを相殺させる対応が行われるようになっている。さらに、冷暖同時運転モード（蒸発・放熱負荷均衡、熱源側熱交換器に冷媒を流す場合）では、上記のように、冷媒冷却器３６に予冷熱交換器３５を通じて常時冷媒を流すことができる。これにより、冷暖同時運転モード（蒸発・放熱負荷均衡、熱源側熱交換器に冷媒を流す場合）において、冷媒冷却器３６を流れる冷媒の流量を確保して電装品２０ａの冷却を行うことができるようになっている。
【０１２９】
＜冷暖同時運転モード（蒸発・放熱負荷均衡、熱源側熱交換器に冷媒を流さない場合）＞
冷暖同時運転モード（蒸発・放熱負荷均衡、熱源側熱交換器に冷媒を流さない場合）、例えば、利用ユニット３ａ、３ｂが冷房運転し、かつ、利用ユニット３ｃ、３ｄが暖房運転し（すなわち、利用側熱交換器５２ａ、５２ｂが冷媒の蒸発器として機能し、かつ、利用側熱交換器５２ｃ、５２ｄが冷媒の放熱器として機能する運転）を行い、主熱源側熱交換器としての第１熱源側熱交換器２４及び第２熱源側熱交換器２５の両方に冷媒を流さないようする際、空気調和装置１の冷媒回路１０は、図１１に示されるように構成される（冷媒の流れについては、図１１の冷媒回路１０に付された矢印を参照）。
【０１３０】
具体的には、熱源ユニット２においては、熱源側流量調節弁２６、２７を閉状態にすることによって、第１熱源側熱交換器２４及び第２熱源側熱交換器２５の両方に冷媒を流さないようにしている。また、高低圧切換機構３０を放熱負荷主体運転状態（図１１の高低圧切換機構３０の破線で示された状態）に切り換えている。さらに、冷媒冷却側流量調節弁３７は、開度調節されて、予冷熱交換器３５に圧縮機２１から吐出される高圧のガス冷媒が流れるようになっている。接続ユニット４ａ、４ｂ、４ｃ、４ｄにおいては、高圧ガス開閉弁６６ｃ、６６ｄ、及び、低圧ガス開閉弁６７ａ、６７ｂを開状態にし、かつ、高圧ガス開閉弁６６ａ、６６ｂ、及び、低圧ガス開閉弁６７ｃ、６７ｄを閉状態にすることによって、利用ユニット３ａ、３ｂの利用側熱交換器５２ａ、５２ｂを冷媒の蒸発器として機能させ、かつ、利用ユニット３ｃ、３ｄの利用側熱交換器５２ｃ、５２ｄを冷媒の放熱器として機能させるとともに、利用ユニット３ａ、３ｂの利用側熱交換器５２ａ、５２ｂと熱源ユニット２の圧縮機２１の吸入側とが低圧ガス冷媒連絡管９を介して接続された状態になり、かつ、利用ユニット３ｃ、３ｄの利用側熱交換器５２ｃ、５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【０１３１】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、予冷熱交換器３５だけに送られる。
【０１３２】
そして、予冷熱交換器３５に送られた高圧のガス冷媒は、予冷熱交換器３５において、室外ファン３４によって供給される熱源としての室外空気と熱交換を行うことによって放熱する。そして、予冷熱交換器３５において放熱した冷媒は、冷媒冷却器３６に送られて、電装品２０ａを冷却する。冷媒冷却器３６を通過した冷媒は、冷媒冷却側流量調節弁３７において流量調節された後、レシーバ出口管２８ｂに送られる。レシーバ出口管２８ｂに送られた冷媒は、出口逆止弁２９ｃ、液側閉鎖弁３１を通じて、液冷媒連絡管７に送られる。このため、液冷媒連絡管７には、熱源側熱交換器２４、２５を通じて冷媒が送られることはなく、予冷熱交換器３５及び冷媒冷却器３６を通じて小流量の冷媒が送られる状態になっている。
【０１３３】
また、高低圧ガス冷媒連絡管８に送られた高圧のガス冷媒は、接続ユニット４ｃ、４ｄの高圧ガス接続管６３ｃ、６３ｄに送られる。高圧ガス接続管６３ｃ、６３ｄに送られた高圧のガス冷媒は、高圧ガス開閉弁６６ｃ、６６ｄ及び合流ガス接続管６５ｃ、６５ｄを通じて、利用ユニット３ｃ、３ｄの利用側熱交換器５２ｃ、５２ｄに送られる。
【０１３４】
そして、利用側熱交換器５２ｃ、５２ｄに送られた高圧のガス冷媒は、利用側熱交換器５２ｃ、５２ｄにおいて、室内ファン５３ｃ、５３ｄによって供給される室内空気と熱交換を行うことによって放熱する。一方、室内空気は、加熱されて室内に供給されて、利用ユニット３ｃ、３ｄの暖房運転が行われる。利用側熱交換器５２ｃ、５２ｄにおいて放熱した冷媒は、利用側流量調節弁５１ｃ、５１ｄにおいて流量調節された後、接続ユニット４ｃ、４ｄの液接続管６１ｃ、６１ｄに送られる。
【０１３５】
そして、利用側熱交換器５２ｃ、５２ｄにおいて放熱して液接続管６１ｃ、６１ｄに送られた冷媒は、液冷媒連絡管７に送られて合流する。
【０１３６】
そして、液冷媒連絡管７において合流した冷媒は、予冷熱交換器３５及び冷媒冷却器３６通じて液冷媒連絡管７に送られた小流量の冷媒とさらに合流した後に、２つに分岐されて、各接続ユニット４ａ、４ｂの液接続管６１ａ、６１ｂに送られる。そして、液接続管６１ａ、６１ｂに送られた冷媒は、利用ユニット３ａ、３ｂの利用側流量調節弁５１ａ、５１ｂに送られる。
【０１３７】
そして、利用側流量調節弁５１ａ、５１ｂに送られた冷媒は、利用側流量調節弁５１ａ、５１ｂにおいて流量調節された後、利用側熱交換器５２ａ、５２ｂにおいて、室内ファン５３ａ、５３ｂによって供給される室内空気と熱交換を行うことによって蒸発して低圧のガス冷媒となる。一方、室内空気は、冷却されて室内に供給されて、利用ユニット３ａ、３ｂの冷房運転が行われる。そして、低圧のガス冷媒は、接続ユニット４ａ、４ｂの合流ガス接続管６５ａ、６５ｂに送られる。
【０１３８】
そして、合流ガス接続管６５ａ、６５ｂに送られた低圧のガス冷媒は、低圧ガス開閉弁６７ａ、６７ｂ及び低圧ガス接続管６４ａ、６４ｂを通じて、低圧ガス冷媒連絡管９に送られて合流する。
【０１３９】
そして、低圧ガス冷媒連絡管９に送られた低圧のガス冷媒は、ガス側閉鎖弁３３を通じて、圧縮機２１の吸入側に戻される。
【０１４０】
このようにして、冷暖同時運転モード（蒸発・放熱負荷均衡、熱源側熱交換器に冷媒を流さない場合）における動作が行われる。そして、冷暖同時運転モード（蒸発・放熱負荷均衡、熱源側熱交換器に冷媒を流さない場合）では、上記のように、冷媒の放熱器として機能する利用側熱交換器５２ｃ、５２ｄから冷媒の蒸発器として機能する利用側熱交換器５２ａ、５２ｂに冷媒を送ることで利用側熱交換器５２ａ、５２ｂ、５２ｃ、５２ｄ間において熱回収が行われるようになっている。また、冷暖同時運転モード（蒸発・放熱負荷均衡、熱源側熱交換器に冷媒を流さない場合）では、上記のように、第１熱源側熱交換器２４及び第２熱源側熱交換器２５の両方に冷媒を流さない対応が行われるようになっている。さらに、冷暖同時運転モード（蒸発・放熱負荷均衡、熱源側熱交換器に冷媒を流さない場合）では、上記のように、冷媒冷却器３６に予冷熱交換器３５を通じて常時冷媒を流すことができる。これにより、冷暖同時運転モード（蒸発・放熱負荷均衡、熱源側熱交換器に冷媒を流さない場合）において、冷媒冷却器３６を流れる冷媒の流量を確保して電装品２０ａの冷却を行うことができるようになっている。
【０１４１】
（３）熱回収型冷凍装置（冷暖同時運転型空気調和装置）の特徴
冷暖同時運転型空気調和装置１には、以下のような特徴がある。
【０１４２】
＜Ａ＞
ここでは、上記のように、電装品２０ａを冷却する冷媒冷却器３６を設けるにあたり、熱源側熱交換器２４、２５、３５の一部を、圧縮機２１から吐出される高圧のガス冷媒を常時流す予冷熱交換器３５とし、予冷熱交換器３５の下流側に冷媒冷却器３６を接続するようにしている。このため、冷媒冷却器３６には、予冷熱交換器３５を通じて常時冷媒を流すことができる。具体的には、上記の冷房運転モード（蒸発負荷大）、冷房運転モード（蒸発負荷小）、暖房運転モード（放熱負荷大）、暖房運転モード（放熱負荷小）、冷暖同時運転モード（蒸発負荷主体）、冷暖同時運転モード（放熱負荷主体）、冷暖同時運転モード（蒸発・放熱負荷均衡、熱源側熱交換器に冷媒を流す場合）、及び、冷暖同時運転モード（蒸発・放熱負荷均衡、熱源側熱交換器に冷媒を流さない場合）のいずれにおいても、予冷熱交換器３５を通じて冷媒冷却器３６に常時冷媒を流すことができる。
【０１４３】
これにより、冷暖同時運転モード（蒸発負荷主体）、冷暖同時運転モード（放熱負荷主体）冷暖同時運転モード（蒸発・放熱負荷均衡、熱源側熱交換器に冷媒を流す場合）、及び、冷暖同時運転モード（蒸発・放熱負荷均衡、熱源側熱交換器に冷媒を流さない場合）のような利用側熱交換器間において熱回収が行われる際、すなわち、主熱源側熱交換器としての熱源側熱交換器２４、２５と利用側熱交換器５２ａ、５２ｂ、５２ｃ、５２ｄとの間を流れる冷媒の流量が減少する場合であっても、冷媒冷却器３５を流れる冷媒の流量を確保して電装品２０ａの冷却を行うことができる。特に、冷暖同時運転モード（蒸発・放熱負荷均衡、熱源側熱交換器に冷媒を流す場合）、及び、冷暖同時運転モード（蒸発・放熱負荷均衡、熱源側熱交換器に冷媒を流さない場合）では、主熱源側熱交換器としての熱源側熱交換器２４、２５と利用側熱交換器５２ａ、５２ｂ、５２ｃ、５２ｄとの間にほとんど冷媒が流れない状態になる場合があるが、このような場合であっても、冷媒冷却器３５を流れる冷媒の流量を確保して電装品２０ａの冷却を行うことができる。
【０１４４】
＜Ｂ＞
ここでは、上記のように、冷媒冷却器３６の下流側に冷媒冷却側流量調節機構としての冷媒冷却側流量調節弁３７を接続するようにしている。これにより、予冷熱交換器３５を流れる冷媒の流量、ひいては冷媒冷却器３６を流れる冷媒を適切な流量に調節することができる。
【０１４５】
＜Ｃ＞
ここでは、上記のように、予冷熱交換器３５及び冷媒冷却器３６を流れる冷媒の流量を調節する冷媒冷却側流量調節機構としての冷媒冷却側流量調節弁３７の出口を、主熱源側熱交換器としての熱源側熱交換器２４、２５が冷媒の放熱器として機能する際の熱源側流量調節機構としての熱源側流量調節弁２６、２７の下流側に接続するようにしている。これにより、熱源側流量調節弁２６、２７によって熱源側熱交換器２４、２５を流れる冷媒の流量を調節し、これとは別に、冷媒冷却側流量調節弁３７によって予冷熱交換器３５及び冷媒冷却器３６を流れる冷媒の流量を調節することができる。
【０１４６】
特に、ここでは、上記のように、主熱源側熱交換器が第１熱源側熱交換器２４と第２熱源側熱交換器２５とに分割されており、各熱源側熱交換器２４、２５に熱源側流量調節弁２６、２７が設けられている。このため、各熱源側熱交換器２４、２５を流れる冷媒の流量を個別に調節することができ、また、各熱源側熱交換器２４、２５を個別に冷媒の蒸発器又は放熱器として機能させる切り換えを可能にすることができる。しかも、ここでは、上記のように、予冷熱交換器３５及び冷媒冷却器３６を流れる冷媒の流量を調節する冷媒冷却側流量調節弁３７の出口を、２つの熱源側熱交換器２４、２５が冷媒の放熱器として機能する際の各熱源側流量調節弁２６、２７の下流側に接続するようにしている。これにより、各熱源側流量調節弁２６、２７によって２つの熱源側熱交換器２４、２５を流れる冷媒の流量を個別に調節し、これとは別に、冷媒冷却側流量調節弁３７によって予冷熱交換器３５及び冷媒冷却器３６を流れる冷媒の流量を調節することができる。
【０１４７】
＜Ｄ＞
ここでは、上記のように、予冷熱交換器３５が熱源側熱交換器２４、２５、３５の下部を構成している。例えば、上記のように、熱源側熱交換器が、水平方向に冷媒が流れる冷媒パスが上下方向に複数段並んだ構造を有している場合には、予冷熱交換器３５が、複数の冷媒パスのうち最下段の冷媒パスを構成している。これにより、熱源側熱交換器２４、２５、３５の下部に圧縮機２１から吐出される高圧のガス冷媒を常時流して、熱源側熱交換器２４、２５、３５の下部が凍結することを抑えることができる。
【０１４８】
（４）変形例
上記の実施形態では、本発明が適用される熱回収型冷凍装置として、冷暖同時運転型空気調和装置１の構成例に挙げて説明しているが、これに限定されるものではない。すなわち、圧縮機と、熱源側熱交換器と、複数の利用側熱交換器とを含んでおり、冷媒の放熱器として機能する利用側熱交換器から冷媒の蒸発器として機能する利用側熱交換器に冷媒を送ることで利用側熱交換器間において熱回収を行うことが可能な構成であれば、本発明を適用することが可能である。
【０１４９】
また、上記の実施形態では、熱源側熱交換器のうち予冷熱交換器３７を除いた部分である主熱源側熱交換器が２つの熱源側熱交換器２４、２５に分割された構造を採用しているが、分割構造でなくてもよい。この場合には、熱源側流量調節機構としての熱源側流量調節弁も１つでよいことになる。
【産業上の利用可能性】
【０１５０】
本発明は、圧縮機と、熱源側熱交換器と、複数の利用側熱交換器とを含んでおり、冷媒の放熱器として機能する利用側熱交換器から冷媒の蒸発器として機能する利用側熱交換器に冷媒を送ることで利用側熱交換器間において熱回収を行うことが可能な熱回収型冷凍装置に対して、広く適用可能である。
【符号の説明】
【０１５１】
１                              冷暖同時運転型空気調和装置（熱回収型冷凍装置）
２１                            圧縮機
２４                            第１熱源側熱交換器（主熱源側熱交換器）
２５                            第２熱源側熱交換器（主熱源側熱交換器）
２６                            第１熱源側流量調節弁（熱源側流量調節機構）
２７                            第２熱源側流量調節弁（熱源側流量調節機構）
３５                            予冷熱交換器
３６                            冷媒冷却器
３７                            冷媒冷却側流量調節弁（冷媒冷却側流量調節機構）
５２ａ、５２ｂ、５２ｃ、５２ｄ  利用側熱交換器
【先行技術文献】
【特許文献】
【０１５２】
【特許文献１】特開２０１０−２５３７４号公報